(57)【要約】【課題】  広告付き名刺状カードを使用して、低コストで高い広告効果が期待できると共に、カード所有者を広告主の商品・サービスを購入するように誘導する効果も期待できる広告方法と広告システムを提供する。【解決手段】  会員（親ユーザ）から広告付き名刺状カードを受け取った子ユーザは、そのカード上の広告と特典によって店舗に誘導される。子ユーザがその端末で広告付き名刺状カードに付されたＱＲコードをキャプチャして、所定サイトにアクセスすると、ＱＲコード中に包含されている当該カード固有のＩＤからそれを配布した会員（親ユーザ）が特定される。次に、当該端末から店舗識別コードと子ユーザの連絡先情報を送信すると、仮会員登録を承認することを条件に当該カードに付された特典情報に対応する電子クーポンを当該端末に表示させる。当該子ユーザはその電子クーポンを示して所定の特典を入手する。【選択図】    図６
2007140667.tif 000002
【特許請求の範囲】
【請求項１】
広告付き名刺状カード提供サービスの会員が親ユーザとなって広告付き名刺状カードを複数の人に配布し、前記親ユーザから前記名刺状カードを受け取った人が、それぞれ、子ユーザとして当該名刺状カードに付された広告に関連する店舗に出向くよう誘導する広告方法であって、
前記名刺状カードの各々に、前記会員の希望する個人情報と共に、当該会員が選択したデザインの広告と当該広告に関連する所定の特典情報と固有のカード識別情報とを表示し、且つ、前記カード識別情報には当該カードに固有のカード識別コード及び所定のサイト情報を包含させ、
前記子ユーザの各々の端末がネットワークを介してアクセス可能なサーバ装置を設け、
前記名刺状カードの各々に付された前記カード識別コードと、当該名刺状カードに付された前記広告に対応する広告情報及び特典情報と、前記会員の識別コードとを関連づけて、前記サーバ装置内のデータベースに保存し、
前記名刺状カードに付された前記サイト情報に基づいて、前記子ユーザの端末が所定のサイトにアクセスすると、前記データベースを検索して、当該名刺状カードに付されている前記カード識別コードから当該名刺状カードを配布した前記会員を特定し、
店舗識別コードと前記子ユーザの連絡先情報とを前記子ユーザの端末を用いて所定のサイトに送信するよう促し、
前記子ユーザの端末から店舗識別コードと当該子ユーザの連絡先情報とが送信されると、会員としての仮登録の承認を求める旨のメッセージを当該子ユーザの端末に表示させ、
当該子ユーザの端末から前記仮登録を承認する旨の情報を受信すると、前記データベースを検索して、当該名刺状カードに付された前記特典情報に対応する電子クーポンを当該子ユーザの端末に表示させることを特徴とする広告方法。
【請求項２】
広告付き名刺状カード提供サービスの会員が親ユーザとなって広告付き名刺状カードを複数の人に配布し、前記親ユーザから前記名刺状カードを受け取った人が、それぞれ、子ユーザとして当該名刺状カードに付された広告に関連するネットショップにアクセスするよう誘導する広告方法であって、
前記名刺状カードの各々に、前記会員の希望する個人情報と共に、当該会員が選択したデザインの広告と当該広告に関連する所定の特典情報と固有のカード識別情報とを表示し、且つ、前記カード識別情報には当該カードに固有のカード識別コード、前記ネットショップのサイト情報及び前記ネットショップの店舗識別コードを包含させ、
前記ネットショップとの間でデータ通信が可能なサーバ装置を設け、
前記名刺状カードの各々に付された前記カード識別コードと、当該名刺状カードに付された前記広告に対応する広告情報及び特典情報と、前記会員の識別コードとを関連づけて、前記サーバ装置内のデータベースに保存し、
前記名刺状カードに付された前記ネットショップのサイト情報に基づいて、前記子ユーザの端末が前記ネットショップのサイトに所定のアクセスすると、前記データベースを検索して、当該名刺状カードに付されている前記カード識別コードから当該名刺状カードを配布した前記会員を特定し、
前記ネットショップのサイトを通じて前記子ユーザの連絡先情報と前記店舗識別コードを前記サーバ装置に転送し、
前記サーバ装置が前記子ユーザの端末から前記ネットショップでの購買を行うとの情報を受信すると、会員としての仮登録の承認を求める旨のメッセージを当該子ユーザの端末に表示させ、
当該子ユーザの端末から前記仮登録を承認する旨の情報を受信すると、前記データベースを検索して、当該名刺状カードに付された前記特典情報に対応する特典を当該子ユーザに付与する旨を当該子ユーザの端末に表示することを特徴とする広告方法。
【請求項３】
申込時に前記名刺状カードに付されるデザインが複数個表示され、申込者は、それらデザインの中から自己の嗜好に合わせて選択する請求項１または２に記載の広告方法。
【請求項４】
前記名刺状カードの申込時に、同一デザインの広告を付した前記名刺状カードが同一の前記会員に対して既に発行されているか否かを判断し、既に発行されていると判断した場合は当該申込が拒否される請求項１または２に記載の広告方法。
【請求項５】
既に発行されていないと判断した場合は、次に、当該申込に係る広告デザインが付された名刺状カードの総数が所定の上限値を越えるか否かを判断し、当該上限値を越えると判断した場合は、前記申込が拒否される請求項４に記載の広告方法。
【請求項６】
前記名刺状カードを申し込んだ前記会員自身が、前記サーバ装置との間でデータ通信が可能な被写体画像印刷装置を用いて印刷することによって、当該会員が希望する画像を含む前記名刺状カードを入手する請求項１〜５のいずれか１項に記載の広告方法。
【請求項７】
前記会員が、前記サーバ装置との間でデータ通信が可能な被写体画像印刷装置を用いて、当該会員が希望する画像を含む前記名刺状カードの発行を予約する一方、前記名刺状カードに表示される個人情報と前記名刺状カードに付される所望の広告主ロゴを当該会員の端末を用いて前記サーバ装置に送信することによって、前記名刺状カードの申込が行われる請求項１〜５のいずれか１項に記載の広告方法。
【請求項８】
前記会員が、自己の端末を用いて会員登録を行って自己の認証情報を入手し、その後、当該端末と被写体画像印刷装置との間でデータ通信を行うことによって、当該端末中に保存されている前記認証情報を前記被写体画像印刷装置に取り込み、取り込まれたその認証情報を会員登録を行った際の認証情報と比較して、当該会員の認証を行う請求項１〜５のいずれか１項に記載の広告方法。
【請求項９】
前記広告付き名刺状カード提供サービスが、広告主がアクセス可能な広告申込用サイトを有しており、当該広告申込用サイトを通じてオンラインで広告デザイン用の画像と文言が送信される請求項１〜５のいずれか１項に記載の広告方法。
【請求項１０】
広告付き名刺状カード提供サービスの会員が親ユーザとなって広告付き名刺状カードを複数の人に配布し、前記親ユーザから前記名刺状カードを受け取った人が、それぞれ、子ユーザとして当該名刺状カードに付された広告に関連する店舗に出向くよう誘導する広告システムであって、
前記子ユーザの各々の端末がネットワークを介してアクセス可能なサーバ装置と、
前記サーバ装置内に設けられたデータベースとを備え、
前記名刺状カードの各々には、前記会員の希望する個人情報と共に、当該会員が選択したデザインの広告と当該広告に関連する所定の特典情報と固有のカード識別情報とが表示され、且つ、前記カード識別情報には当該カードに固有のカード識別コード及び所定のサイト情報が包含せしめられており、
前記データベースには、前記名刺状カードの各々に付された前記カード識別コードと、当該名刺状カードに付された前記広告に対応する広告情報及び特典情報と、前記会員の識別コードとが関連づけて保存されており、
前記名刺状カードに付された前記サイト情報に基づいて、前記子ユーザの端末が所定のサイトにアクセスすると、前記データベースを検索して、当該名刺状カードに付されている前記カード識別コードから当該名刺状カードを配布した前記会員を特定し、
店舗識別コードと前記子ユーザの連絡先情報とを前記子ユーザの端末を用いて所定のサイトに送信するよう促し、
前記子ユーザの端末から店舗識別コードと当該子ユーザの連絡先情報とが送信されると、会員としての仮登録の承認を求める旨のメッセージを当該子ユーザの端末に表示させ、
当該子ユーザの端末から前記仮登録を承認する旨の情報を受信すると、前記データベースを検索して、当該名刺状カードに付された前記特典情報に対応する電子クーポンを当該子ユーザの端末に表示させることを特徴とする広告システム。
【請求項１１】
広告付き名刺状カード提供サービスの会員が親ユーザとなって広告付き名刺状カードを複数の人に配布し、前記親ユーザから前記名刺状カードを受け取った人が、それぞれ、子ユーザとして当該名刺状カードに付された広告に関連するネットショップにアクセスするよう誘導する広告システムであって、
前記ネットショップとの間でデータ通信が可能なサーバ装置と、
前記サーバ装置内に設けられたデータベースとを備え、
前記名刺状カードの各々には、前記会員の希望する個人情報と共に、当該会員が選択したデザインの広告と当該広告に関連する所定の特典情報と固有のカード識別情報とが表示され、且つ、前記カード識別情報には当該カードに固有のカード識別コード、前記ネットショップのサイト情報及び前記ネットショップの店舗識別コードが包含せしめられ、
前記データベースには、前記名刺状カードの各々に付された前記カード識別コードと、当該名刺状カードに付された前記広告に対応する広告情報及び特典情報と、前記会員の識別コードとが関連づけて保存されており、
前記名刺状カードに付された前記ネットショップのサイト情報に基づいて、前記子ユーザの端末が前記ネットショップのサイトに所定のアクセスすると、前記データベースを検索して、当該名刺状カードに付されている前記カード識別コードから当該名刺状カードを配布した前記会員を特定し、
前記ネットショップのサイトを通じて前記子ユーザの連絡先情報と前記店舗識別コードを前記サーバ装置に転送し、
前記サーバ装置が前記子ユーザの端末から前記ネットショップでの購買を行うとの情報を受信すると、会員としての仮登録の承認を求める旨のメッセージを当該子ユーザの端末に表示させ、
当該子ユーザの端末から前記仮登録を承認する旨の情報を受信すると、前記データベースを検索して、当該名刺状カードに付された前記特典情報に対応する特典を当該子ユーザに付与する旨を当該子ユーザの端末に表示することを特徴とする広告システム。
【請求項１２】
申込時に前記名刺状カードに付されるデザインが複数個表示され、申込者は、それらデザインの中から自己の嗜好に合わせて選択する請求項１０または１１に記載の広告システム。
【請求項１３】
前記名刺状カードの申込時に、同一デザインの広告を付した前記名刺状カードが同一の前記会員に対して既に発行されているか否かを判断し、既に発行されていると判断した場合は当該申込が拒否される請求項１０または１１に記載の広告システム。
【請求項１４】
既に発行されていないと判断した場合は、次に、当該申込に係る広告デザインが付された名刺状カードの総数が所定の上限値を越えるか否かを判断し、当該上限値を越えると判断した場合は、前記申込が拒否される請求項１３に記載の広告システム。
【請求項１５】
前記名刺状カードを申し込んだ前記会員自身が、前記サーバ装置との間でデータ通信が可能な被写体画像印刷装置を用いて印刷することによって、当該会員が希望する画像を含む前記名刺状カードを入手する請求項１０〜１４のいずれか１項に記載の広告システム。
【請求項１６】
前記会員が、前記サーバ装置との間でデータ通信が可能な被写体画像印刷装置を用いて、当該会員が希望する画像を含む前記名刺状カードの発行を予約する一方、前記名刺状カードに表示される個人情報と前記名刺状カードに付される所望の広告主ロゴを当該会員の端末を用いて前記サーバ装置に送信することによって、前記名刺状カードの申込が行われる請求項１０〜１４のいずれか１項に記載の広告システム。
【請求項１７】
前記会員が、自己の端末を用いて会員登録を行って自己の認証情報を入手し、その後、当該端末と被写体画像印刷装置との間でデータ通信を行うことによって、当該端末中に保存されている前記認証情報を前記被写体画像印刷装置に取り込み、取り込まれたその認証情報を会員登録を行った際の認証情報と比較して、当該会員の認証を行う請求項１０〜１４のいずれか１項のいずれか１項に記載の広告システム。
【請求項１８】
前記広告付き名刺状カード提供サービスが、広告主がアクセス可能な広告申込用サイトを有しており、当該広告申込用サイトを通じてオンラインで広告デザイン用の画像と文言が送信される請求項１０〜１４のいずれか１項に記載の広告システム。
【発明の詳細な説明】
【技術分野】
【０００１】
本発明は、ビジネスで一般的に使用されている名刺と同一またはそれに近似したカード（以下、名刺状カードという）を用いる広告方法及び広告システムに関する。さらに言えば、本発明は、名前またはニックネーム等の個人情報と共に所有者の希望する広告（例えば、特定企業のロゴやブランド、当該企業の製品・サービスに関する広告等）及び特典が記載された名刺状カードを、登録されたユーザ（会員）に提供し、会合等でその登録ユーザの知人・友人等に当該名刺状カードを配布してもらうこと、そして、その名刺状カードを受け取った知人・友人等に広告主のロゴ・ブランドや製品・サービスを知ってもらうと共に、当該知人・友人等及び登録ユーザ（会員）自身を広告主に関連する店舗等に勧誘することを通じて、高い広告効果を得ることを意図した広告方法と、その広告方法を実現する広告システムに関する。
【背景技術】
【０００２】
値引き・景品・ノベルティ・優待等の各種特典が受けられるようにしたクーポンは、従来、商品やサービスの販売促進等のためにしばしば使用されている。他方、近年のＩＴ（Information Technology,情報技術）とインターネット、そして携帯電話機、ＰＤＡ（Personal Digital Assistant）のような携帯端末や移動端末の発展・普及に伴い、これらを用いたネット販売方法及びシステム（つまりネットショッピング）、ネット広告方法及びシステムが種々、考案されており、一部は実用化されている。
【０００３】
例えば、近年普及しつつあるブログ（blog）を利用した広告サービスが考案され、実施されている。このサービスは、特定のブログのユーザ（以下、ブログ・ユーザともいう）が自身の名刺をインターネット上の所定サイトで申し込むことができ、申し込むと、表面に自分の氏名やニックネーム・連絡先等の個人情報が記載され、裏面に特定企業の広告を付した名刺が作製・送付される、というものである（http://www.mahorex.com/を参照）。この名刺に付される広告は、当該広告サービス提供企業が任意に決めるようになっており、ユーザは名刺に付される広告の広告主やそのデザインを選ぶことはできない。また、一つの名刺に対して複数の広告主が割り当てられているため、その名刺には常に同じ企業の広告が付されるわけではない。なお、この名刺の作製・送付は原則として有料であるが、当該ブログの利用度に応じてユーザに与えられるポイントを使うことができるので、その場合は無料で入手することが可能である。
【０００４】
当該ブログのユーザは、送付されてきた広告付き名刺を自己紹介のためにコンパ、パーティ等の会合で適宜、友人・知人等に配布する。その結果、受け取った友人・知人等は名刺表面に表示された当該ユーザの氏名あるいはニックネーム、電話番号、メールアドレス等の個人情報を見ると共に、名刺裏面に付された広告を必ず見るので、高い広告効果が得られる、とされている。つまり、名刺を受け取った人は、その名刺の裏面に表示された広告を必ず見ることから、広告主のブランドや商品やサービスがその人に確実に知られる。その結果、その人が好印象を持てば、広告主に対する印象が良くなって自分自身で広告に係る商品・サービスを購入するだけでなく、当該広告に係る商品・サービスがいわゆる「口コミ」で他の多くの人に伝えられる。こうして比較的低い費用で高い広告効果が得られる、というのである。
【０００５】
また、特許文献１（特開２００１−２５６３８８号公報）には、割引クーポンなどのサービスを手軽に受けることができる「電子商取引システム」が開示されている。この電子商取引システムは、移動体端末（例えば携帯電話機）の表示画面に出力可能で入力端末（例えばバーコードリーダ）により読み取り可能な形態の識別情報（例えばバーコード）を送信する手段（例えばサーバシステム）と、前記入力端末により前記移動体端末から読み取られた前記識別情報を認証する手段（例えば認証サーバ）とを有するものである。
【０００６】
この電子商取引システムでは、携帯電話、ＰＨＳ（Personal Handyphone System）などを含めた携帯情報端末、さらには車載の端末なども含めた移動体端末に対し、表示画面に出力可能で入力端末により読み取りできる形態の識別情報を送信する手段により、その識別情報を移動体端末に提供できる。その際に、インターネット等のコンピュータネットワークが利用される。したがって、移動体端末を有するユーザは、その識別情報が必要とされるサービス（例えばコンビニエンスストアにおける割引クーポン券提供サービス、カンファレンスへの出席予約サービス、ポイントカードサービス等）を受けるときはいつでも移動体端末の表示画面にその識別情報を表示させることができる。
【０００７】
一方、サービスを提供する側は、ユーザの移動体端末の表示画面に表示された識別情報を適当な端末（例えばバーコードリーダ）で直に読み取り、認証する手段により識別情報を認証することができる。したがって、紙やカードなどの媒体を用いずに識別情報を提示することができ、さらに、提示された側はそれを適当な入力端末（例えばバーコードリーダ）により手間をかけずに読み取り、迅速および安全に識別情報を認証することができる。（請求項１〜７、段落０００９、００１０、図１、図２、図４を参照。）
特許文献２（特開２００１−１２１８５６号公報）には、ターゲットを絞った広告を希望する広告主の要求と、低廉な名刺を希望する名刺使用者の要求の双方を満たす名刺を得ることができる「名刺及び名刺の製作方法」が開示されている。この名刺は、表面に記載された名刺使用者の個人名などの表示と無関係の広告が、裏面に表示されたものである。名刺の裏面に広告を印刷することは以前から行われているが、従来の一般的な方法では、名刺使用者が所属する（あるいは名刺使用者に関連する）企業等の広告であった。特許文献２の名刺は、裏面に表示される広告が表面に記載される名刺使用者とは無関係である点で、従来の一般的な名刺とは異なる。
【０００８】
特許文献２の名刺が配布されると、その名刺を受け取った者には、表面に記載された名刺使用者の情報と共に、裏面の広告情報も伝達される。名刺使用者が名刺を配布する相手は、名刺使用者と属性に共通点がある場合が多いと考えられるから、名刺使用者の属性に合わせた広告を名刺の裏面に表示しておくと、その名刺を受け取った者も当該広告の対象として適した属性を持つ者である可能性が高く、効果の高い広告媒体となる。そして、名刺の製作費の全部または一部を広告費でまかなえるので、名刺の使用者は廉価に名刺を得ることができる。
【０００９】
特許文献２の名刺は、複数の広告原稿を広告データベースに登録しておき、登録されたそれら複数の広告原稿から選択されたものを当該名刺の裏面に印刷することにより、製作される。前記広告データベースには、複数の前記広告原稿と共に、選択された広告原稿を印刷する名刺使用者の属性情報を登録しておき、表面に印刷する名刺使用者に対応する広告原稿を裏面に印刷することもできる。また、名刺使用者の属性情報を使用者データベースに登録しておき、表面に印刷する名刺使用者の属性情報を検索キーとして広告原稿をコンピュータ処理によって選択し、選択された広告原稿を裏面に印刷することによって、当該名刺を製作することもできる。（請求項１〜５、段落０００２、０００７、図１〜図３を参照。）
【００１０】
特許文献３（特開２００２−１０９３５３号公報）には、クーポンをより効率よく発行することができる「クーポン発行方法」が開示されている。このクーポン発行方法は、インターネットに接続可能な携帯電話を利用して、前記携帯電話のディスプレイに表示された画像をクーポンとして使用するものである。携帯電話の使用者は、ディスプレイに表示された画像をクーポンとして使用する。つまり、その画像がいわゆる「電子クーポン」となる。したがって、携帯電話の使用者は、インターネット上の適当なウェブサイトにアクセスし、クーポンとして使用される画像（つまり電子クーポン）を自己の携帯電話のディスプレイに表示させ、それを店舗等で提示すれば、当該クーポンをプリントすることなく料金割引等の特典を受けることができ、便宜である。（請求項１、段落００１２、００２７、図１〜図５を参照。）
【特許文献１】特開２００１−２５６３８８号公報
【特許文献２】特開２００１−１２１８５６号公報
【特許文献３】特開２００２−１０９３５３号公報
【発明の開示】
【発明が解決しようとする課題】
【００１１】
ところで、職務関係の各種セミナーやオフ会（ネット会員同士がオフラインで集まって親睦を深めるための会合）に参加する社会人は、参加者同士で名刺を交換することが多い。他方、学生、フリーター等の若年者は、社会人と異なり、名刺を持っていないのが一般的であるが、最近、電話番号・メールアドレスの告知や自己紹介を簡略化、効率化するために、コンパ、パーティ等の会合で名刺状のカード（所有者の本名でなくそのニックネームを記載したものもある）を交換することが増えている。家庭の主婦も通常、若年者と同様に名刺を持っていないが、名刺状のカードがあれば、ＰＴＡ会合やパ−ティで配ることができて便利であろう。
【００１２】
このように、最近は、社会人以外においても名刺状カードの需要が増加しつつある。そこで、名刺状カードにその所有者に係る組織とは関係のない広告を付しておけば、名刺状カードを受け取った人の目に触れることが多いから、高い広告効果が得られると期待される。上述のブログを利用した広告サービスや特許文献２に記載の「名刺及び名刺の製作方法」もこの点を考慮したものであろう。また、上述した特許文献１に記載の「電子商取引システム」と特許文献３の「クーポン発行方法」は、いわゆる電子クーポンを容易に利用できるようにしたものであるが、これらは、電子クーポンによって特典を利用しやすくして、広告主の商品またはサービスの売上増加を期待できるからであると推測される。
【００１３】
最近、企業間競争の激化により、広告主にとってはいっそう高い広告効果が求められている。また、会員向けに名刺状カードを発行する企業にとっては、名刺状カードの発行に伴って会員数が増加すれば好都合である。さらに、名刺状カードのユーザにとっては、広告だけでなく何らかの特典が付いていれば、友人等に名刺状カードを配布しやすくなるし、その知人等は受け取った名刺状カードを使って広告主の商品またはサービスを購入しようという意欲が生じやすい。そして、名刺状カードを配布した当該ユーザがいくらかの報酬（リベート）を得られることになれば、名刺状カードを配布しようとする意欲も増すであろう。したがって、このような要望を満たすサービスがあれば、これら三者にとって有益であると思われる。
【００１４】
しかし、上述した従来の名刺発行サービスや、上記特許文献１〜３に開示された方法ないしシステムでは、このような要望を満たすことはできない。すなわち、上述した従来の名刺発行サービスでは、名刺に付される広告は当該広告サービス提供企業が任意に決めるようになっているから、ユーザ自身が好みの広告主や広告デザインを選択して自己の嗜好にあった名刺を作成することはできない。また、このサービスは原則として有料であり、ユーザが無料で入手しようとすると当該ブログの高頻度利用を強制されてしまう、という難点がある。
【００１５】
特許文献１に記載された「電子商取引システム」では、割引クーポンなどのサービスを手軽に受けることができるに留まり、上記のような広告方法や広告システムについては何等言及されていない。特許文献２に記載された「名刺及び名刺の製作方法」でも、上述した名刺状カードを作成することができるに留まり、上記のような広告方法や広告システムについては何等言及されていない。同様に、特許文献３に記載された「クーポン発行方法」でも、電子クーポンをより効率よく発行することができるに留まり、上記のような広告方法や広告システムについては何等言及されていない。
【００１６】
本発明は、上述したような事情を考慮してなされたもので、その目的とするところは、広告付きの名刺状カードを使用することによって低コストでいっそう高い広告効果が期待できる広告方法と、その広告方法を実現する広告システムを提供することにある。
【００１７】
本発明の他の目的は、名刺状カードを受け取った人を広告に関連する店舗等（従来の実在の店舗だけでなくネットショップも含む）に効果的に勧誘できる広告方法と、その広告方法を実現する広告システムを提供することにある。
【００１８】
本発明のさらに他の目的は、配布した名刺状カードによって広告に関連する商品またはサービスの売上増加につながると、その名刺状カードを配布した人にアフィリエイト報酬が支払われる広告方法と、その広告方法を実現する広告システムを提供することにある。
【００１９】
本発明のさらに他の目的は、名刺状カードの配布を通じて会員（親ユーザ）の数を増やすことができる広告方法と、その広告方法を実現する広告システムを提供することにある。
【００２０】
本発明のさらに他の目的は、親ユーザ及び子ユーザの全動向をリアルタイムでトラッキング（追跡）可能な広告方法と、その広告方法を実現する広告システムを提供することにある。
【００２１】
ここに明記しない本発明の他の目的は、以下の説明及び添付図面から明らかであろう。
【課題を解決するための手段】
【００２２】
（１）  本発明の第１の観点では、広告付き名刺状カードを用いる広告方法が提供される。この広告方法は、
広告付き名刺状カード提供サービスの会員が親ユーザとなって広告付き名刺状カードを複数の人に配布し、前記親ユーザから前記名刺状カードを受け取った人が、それぞれ、子ユーザとして当該名刺状カードに付された広告に関連する店舗に出向くよう誘導する広告方法であって、
前記名刺状カードの各々に、前記会員の希望する個人情報と共に、当該会員が選択したデザインの広告と当該広告に関連する所定の特典情報と固有のカード識別情報とを表示し、且つ、前記カード識別情報には当該カードに固有のカード識別コード及び所定のサイト情報を包含させ、
前記子ユーザの各々の端末がネットワークを介してアクセス可能なサーバ装置を設け、
前記名刺状カードの各々に付された前記カード識別コードと、当該名刺状カードに付された前記広告に対応する広告情報及び特典情報と、前記会員の識別コードとを関連づけて、前記サーバ装置内のデータベースに保存し、
前記名刺状カードに付された前記サイト情報に基づいて、前記子ユーザの端末が所定のサイトにアクセスすると、前記データベースを検索して、当該名刺状カードに付されている前記カード識別コードから当該名刺状カードを配布した前記会員を特定し、
店舗識別コードと前記子ユーザの連絡先情報とを前記子ユーザの端末を用いて所定のサイトに送信するよう促し、
前記子ユーザの端末から店舗識別コードと当該子ユーザの連絡先情報とが送信されると、会員としての仮登録の承認を求める旨のメッセージを当該子ユーザの端末に表示させ、
当該子ユーザの端末から前記仮登録を承認する旨の情報を受信すると、前記データベースを検索して、当該名刺状カードに付された前記特典情報に対応する電子クーポンを当該子ユーザの端末に表示させる
ことを特徴とするものである。
【００２３】
本発明の第１の観点による広告方法では、広告付き名刺状カード提供サービスの会員は、自己の名刺状カードに、自己の希望する個人情報と共に自己の選択したデザインの広告を表示することができるので、会員自身の嗜好に合った広告付き名刺状カードを入手することができる。また、その広告付き名刺状カードには、特典が付されている。したがって、その会員は、親ユーザとなって、自己の広告付き名刺状カードを知人、友人等に配布し、その広告の商品やサービスを勧めたいとの意欲が生じやすい。
【００２４】
また、その広告付き名刺状カードを受け取った人は、それに付された個人情報と共に広告を必ず見るので、当該広告に表示されたブランドや商品・サービスをその人に確実に知らせることができる。そして、その人が、当該広告に表示されたブランドや商品・サービスに関心を持つと共に、当該名刺状カードに付された特典を得たいと考えると、子ユーザとなって当該広告に関連する店舗を訪問し、商品・サービスを購入する可能性が高くなる。特に、当該名刺状カードに付された特典を得るためには店舗識別コードを知ることが必要であるから、その可能性はいっそう高くなる。
【００２５】
よって、広告付きの名刺状カードを使用することによって低コストでいっそう高い広告効果が期待できると共に、名刺状カードを受け取った人を広告に関連する店舗等に効果的に勧誘する効果も期待できる。
【００２６】
また、前記名刺状カードの各々には、前記会員の希望する個人情報と共に、当該会員が選択したデザインの広告と当該広告に関連する所定の特典情報と固有のカード識別情報とを表示すると共に、前記カード識別情報には当該カードに固有のカード識別コード及び所定のサイト情報を包含させているので、前記名刺状カードに付された前記サイト情報に基づいて前記子ユーザの端末を前記所定サイトに自動的にアクセスさせることができる。すると、前記カード識別コードを用いて前記データベースを検索することにより、当該名刺状カードを配布した前記会員を特定することができる。
【００２７】
よって、配布した名刺状カードによって広告に関連する商品またはサービスの売上増加につながると、その名刺状カードを配布した人（親ユーザ）にアフィリエイト報酬が支払われるようにすることができる。
【００２８】
さらに、前記子ユーザの端末の上記サイトへの接続後に、当該店舗の店舗識別コードと当該子ユーザの連絡先情報を入力して送信するよう依頼するメッセージが、当該子ユーザの端末に表示される。そのメッセージに応答して、当該端末から当該店舗の店舗識別コードと当該子ユーザの連絡先情報が送信されると、その店舗識別コードを用いて当該広告に関連する店舗か否かを容易に認証できると共に、仮登録会員となる子ユーザの連絡先情報を併せて入手することができる。そして、当該子ユーザから仮登録会員としての承認も得ることができる。
【００２９】
よって、前記名刺状カードの配布を通じて会員（親ユーザ）の数を増やすことができる。特に、会員（親ユーザ）から前記カードを受け取った子ユーザがほぼ自動的に会員（親ユーザ）となるので、前記カードを配布する親ユーザ（会員）の数が無限に増えていく可能性があり、極めて高い広告効果が期待できる。
【００３０】
さらに、前記サーバ装置のアクセス状況と前記データベースの内容を調査することにより、会員（親ユーザ）による前記名刺状カードの発行状況と、子ユーザによる当該カードに付された前記カード識別情報の利用状況とを、容易に監視することができる。
【００３１】
よって、親ユーザ及び子ユーザの全動向をリアルタイムでトラッキング（追跡）可能である。
【００３２】
（２）  本発明の第２の観点では、広告付き名刺状カードを用いる他の広告方法が提供される。この広告方法は、上述した本発明の第１の観点による広告方法において、子ユーザが訪問する先をいわゆる「ネットショップ」ないし「ショッピングサイト」としたものに相当する。この広告方法は、
広告付き名刺状カード提供サービスの会員が親ユーザとなって広告付き名刺状カードを複数の人に配布し、前記親ユーザから前記名刺状カードを受け取った人が、それぞれ、子ユーザとして当該名刺状カードに付された広告に関連するネットショップにアクセスするよう誘導する広告方法であって、
前記名刺状カードの各々に、前記会員の希望する個人情報と共に、当該会員が選択したデザインの広告と当該広告に関連する所定の特典情報と固有のカード識別情報とを表示し、且つ、前記カード識別情報には当該カードに固有のカード識別コード、前記ネットショップのサイト情報及び前記ネットショップの店舗識別コードを包含させ、
前記ネットショップとの間でデータ通信が可能なサーバ装置を設け、
前記名刺状カードの各々に付された前記カード識別コードと、当該名刺状カードに付された前記広告に対応する広告情報及び特典情報と、前記会員の識別コードとを関連づけて、前記サーバ装置内のデータベースに保存し、
前記名刺状カードに付された前記ネットショップのサイト情報に基づいて、前記子ユーザの端末が前記ネットショップのサイトに所定のアクセスすると、前記データベースを検索して、当該名刺状カードに付されている前記カード識別コードから当該名刺状カードを配布した前記会員を特定し、
前記ネットショップのサイトを通じて前記子ユーザの連絡先情報と前記店舗識別コードを前記サーバ装置に転送し、
前記サーバ装置が前記子ユーザの端末から前記ネットショップでの購買を行うとの情報を受信すると、会員としての仮登録の承認を求める旨のメッセージを当該子ユーザの端末に表示させ、
当該子ユーザの端末から前記仮登録を承認する旨の情報を受信すると、前記データベースを検索して、当該名刺状カードに付された前記特典情報に対応する特典を当該子ユーザに付与する旨を当該子ユーザの端末に表示する
ことを特徴とするものである。
【００３３】
本発明の第２の観点による広告方法では、第１の観点による広告方法と同様の理由により、広告付きの名刺状カードを使用することによって低コストでいっそう高い広告効果が期待できると共に、名刺状カードを受け取った人を広告に関連する店舗等に効果的に勧誘する効果も期待できる。
【００３４】
また、前記名刺状カードの各々には、前記会員の希望する個人情報と共に、当該会員が選択したデザインの広告と当該広告に関連する所定の特典情報と固有のカード識別情報とを表示すると共に、前記カード識別情報には当該カードに固有のカード識別コード、前記ネットショップのサイト情報及び前記ネットショップの店舗識別コードを包含させているので、前記名刺状カードに付された前記サイト情報に基づいて前記子ユーザの端末を前記ネットショップのサイトに自動的にアクセスさせることができる。すると、前記ネットショップのサイトから転送されてくる前記カード識別コードを用いて前記サーバ装置の前記データベースを検索することにより、当該名刺状カードを配布した前記会員を特定することができる。
【００３５】
よって、配布した名刺状カードによって広告に関連する商品またはサービスの売上増加につながると、その名刺状カードを配布した人（親ユーザ）にアフィリエイト報酬が支払われるようにすることができる。
【００３６】
さらに、前記サーバ装置が、前記子ユーザの端末から前記ネットショップでの購買を行うとの情報を受信すると、会員としての仮登録の承認を求める旨のメッセージが当該子ユーザの端末に表示される。そのメッセージに応答して、仮登録を承認する旨の情報を受信すると、前記データベースを検索して、当該名刺状カードに付された前記特典情報に対応する特典を当該子ユーザに付与する旨を当該子ユーザの端末に表示する。
【００３７】
よって、前記名刺状カードの配布を通じて会員（親ユーザ）の数を増やすことができる。特に、会員（親ユーザ）から前記カードを受け取った子ユーザがほぼ自動的に会員（親ユーザ）となるので、前記カードを配布する親ユーザ（会員）の数が無限に増えていく可能性があり、極めて高い広告効果が期待できる。
【００３８】
さらに、前記ネットショップのサイトのアクセス状況と前記データベースの内容を調査することにより、会員（親ユーザ）による前記名刺状カードの発行状況と、子ユーザによる当該カードに付された前記カード識別情報の利用状況とを、容易に監視することができる。
【００３９】
よって、親ユーザ及び子ユーザの全動向をリアルタイムでトラッキング（追跡）可能である。
【００４０】
（３）  本発明の第１及び第２の観点による広告方法の好ましい例では、申込時に前記名刺状カードに付されるデザインが複数個表示され、申込者は、それらデザインの中から自己の嗜好に合わせて選択する。この例では、自己の広告付き名刺状カードを知人、友人等に配布し、その広告の商品やサービスを勧めたいとの意欲が惹起される、という利点がある。
【００４１】
本発明の第１及び第２の観点による広告方法の他の好ましい例では、前記名刺状カードの申込時に、同一デザインの広告を付した前記名刺状カードが同一の前記会員に対して既に発行されているか否かを判断し、既に発行されていると判断した場合は当該申込が拒否される。この例では、同一デザインの前記名刺状カードは必ず異なる会員によって配布されるようになるため、広告効果が効率的になる、という利点がある。
【００４２】
この例では、既に発行されていないと判断した場合は、次に、当該申込に係る広告デザインが付された名刺状カードの総数が所定の上限値を越えるか否かを判断し、当該上限値を越えると判断した場合は、前記申込が拒否される。この例では、同日に過大な数が発行されることがないため、所望の期間（例えばキャンペーン期間）の全般にわたって広告効果を持続させることができる、という利点がある。
【００４３】
本発明の第１及び第２の観点による広告方法のさらに他の好ましい例では、前記名刺状カードを申し込んだ前記会員自身が、前記サーバ装置との間でデータ通信が可能な被写体画像印刷装置を用いて印刷することによって、当該会員が希望する画像を含む前記名刺状カードを入手する。この例では、前記名刺状カードが広告会社から配送されてくるのを待つ必要がなく、前記名刺状カードを迅速に入手できる、また、自己の希望する画像（いわゆるプリクラ画像）を含む名刺状カードが得られる、という利点がある。
【００４４】
本発明の第１及び第２の観点による広告方法のさらに他の好ましい例では、前記会員が、前記サーバ装置との間でデータ通信が可能な被写体画像印刷装置を用いて、当該会員が希望する画像を含む前記名刺状カードの発行を予約する一方、前記名刺状カードに表示される個人情報と前記名刺状カードに付される所望の広告主ロゴを当該会員の端末を用いて前記サーバ装置に送信することによって、前記名刺状カードの申込が行われる。この例では、自己の希望する画像（いわゆるプリクラ画像）を含む名刺状カードの予約が、前記画像を撮影した被写体画像印刷装置を用いてその場で行える、という利点がある。
【００４５】
本発明の第１及び第２の観点による広告方法のさらに他の好ましい例では、前記会員が、自己の端末を用いて会員登録を行って自己の認証情報を入手し、その後、当該端末と被写体画像印刷装置との間でデータ通信を行うことによって、当該端末中に保存されている前記認証情報を前記被写体画像印刷装置に取り込み、取り込まれたその認証情報を会員登録を行った際の認証情報と比較して、当該会員の認証を行う。この例では、当該会員の認証が簡易かつ自動的に行われる、という利点がある。
【００４６】
本発明の第１及び第２の観点による広告方法のさらに他の好ましい例では、前記広告付き名刺状カード提供サービスが、広告主がアクセス可能な広告申込用サイトを有しており、当該広告申込用サイトを通じてオンラインで広告デザイン用の画像と文言が送信される。この例では、広告主自身がオンラインで広告の申込を行える、という利点がある。
【００４７】
（４）  本発明の第３の観点では、上述した第１の観点の広告方法を実現する広告システムが提供される。この広告システムは、
広告付き名刺状カード提供サービスの会員が親ユーザとなって広告付き名刺状カードを複数の人に配布し、前記親ユーザから前記名刺状カードを受け取った人が、それぞれ、子ユーザとして当該名刺状カードに付された広告に関連する店舗に出向くよう誘導する広告システムであって、
前記子ユーザの各々の端末がネットワークを介してアクセス可能なサーバ装置と、
前記サーバ装置内に設けられたデータベースとを備え、
前記名刺状カードの各々には、前記会員の希望する個人情報と共に、当該会員が選択したデザインの広告と当該広告に関連する所定の特典情報と固有のカード識別情報とが表示され、且つ、前記カード識別情報には当該カードに固有のカード識別コード及び所定のサイト情報が包含せしめられており、
前記データベースには、前記名刺状カードの各々に付された前記カード識別コードと、当該名刺状カードに付された前記広告に対応する広告情報及び特典情報と、前記会員の識別コードとが関連づけて保存されており、
前記名刺状カードに付された前記サイト情報に基づいて、前記子ユーザの端末が所定のサイトにアクセスすると、前記データベースを検索して、当該名刺状カードに付されている前記カード識別コードから当該名刺状カードを配布した前記会員を特定し、
店舗識別コードと前記子ユーザの連絡先情報とを前記子ユーザの端末を用いて所定のサイトに送信するよう促し、
前記子ユーザの端末から店舗識別コードと当該子ユーザの連絡先情報とが送信されると、会員としての仮登録の承認を求める旨のメッセージを当該子ユーザの端末に表示させ、
当該子ユーザの端末から前記仮登録を承認する旨の情報を受信すると、前記データベースを検索して、当該名刺状カードに付された前記特典情報に対応する電子クーポンを当該子ユーザの端末に表示させる
ことを特徴とするものである。
【００４８】
本発明の第３の観点による広告システムは、以上のような構成を有しているから、上述した本発明の第１の観点による広告方法を実現することができることが明らかである。
【００４９】
（５）  本発明の第４の観点では、上述した第２の観点の広告方法を実現する広告システムが提供される。この広告システムは、
広告付き名刺状カード提供サービスの会員が親ユーザとなって広告付き名刺状カードを複数の人に配布し、前記親ユーザから前記名刺状カードを受け取った人が、それぞれ、子ユーザとして当該名刺状カードに付された広告に関連するネットショップにアクセスするよう誘導する広告システムであって、
前記ネットショップとの間でデータ通信が可能なサーバ装置と、
前記サーバ装置内に設けられたデータベースとを備え、
前記名刺状カードの各々には、前記会員の希望する個人情報と共に、当該会員が選択したデザインの広告と当該広告に関連する所定の特典情報と固有のカード識別情報とが表示され、且つ、前記カード識別情報には当該カードに固有のカード識別コード、前記ネットショップのサイト情報及び前記ネットショップの店舗識別コードが包含せしめられ、
前記データベースには、前記名刺状カードの各々に付された前記カード識別コードと、当該名刺状カードに付された前記広告に対応する広告情報及び特典情報と、前記会員の識別コードとが関連づけて保存されており、
前記名刺状カードに付された前記ネットショップのサイト情報に基づいて、前記子ユーザの端末が前記ネットショップのサイトに所定のアクセスすると、前記データベースを検索して、当該名刺状カードに付されている前記カード識別コードから当該名刺状カードを配布した前記会員を特定し、
前記ネットショップのサイトを通じて前記子ユーザの連絡先情報と前記店舗識別コードを前記サーバ装置に転送し、
前記サーバ装置が前記子ユーザの端末から前記ネットショップでの購買を行うとの情報を受信すると、会員としての仮登録の承認を求める旨のメッセージを当該子ユーザの端末に表示させ、
当該子ユーザの端末から前記仮登録を承認する旨の情報を受信すると、前記データベースを検索して、当該名刺状カードに付された前記特典情報に対応する特典を当該子ユーザに付与する旨を当該子ユーザの端末に表示する
ことを特徴とするものである。
【００５０】
本発明の第４の観点による広告システムは、以上のような構成を有しているから、上述した本発明の第２の観点による広告方法を実現することができることが明らかである。
【００５１】
（６）  本発明の第３及び第４の観点による広告システムの好ましい例では、申込時に前記名刺状カードに付されるデザインが複数個表示され、申込者はそれらデザインの中から自己の嗜好に合わせて選択する。この例では、自己の広告付き名刺状カードを知人、友人等に配布し、その広告の商品やサービスを勧めたいとの意欲が惹起される、という利点がある。
【００５２】
本発明の第３及び第４の観点による広告システムの他の好ましい例では、前記名刺状カードの申込時に、同一デザインの広告を付した前記名刺状カードが同一の前記会員に対して既に発行されているか否かを判断し、既に発行されていると判断した場合は当該申込が拒否される。この例では、同一デザインの前記名刺状カードは必ず異なる会員によって配布されるようになるため、広告効果が効率的になる、という利点がある。
【００５３】
この例では、既に発行されていないと判断した場合は、次に、当該申込に係る広告デザインが付された名刺状カードの総数が所定の上限値を越えるか否かを判断し、当該上限値を越えると判断した場合は、前記申込が拒否される。この例では、同日に過大な数が発行されることがないため、所望の期間（例えばキャンペーン期間）の全般にわたって広告効果を持続させることができる、という利点がある。
【００５４】
本発明の第３及び第４の観点による広告システムのさらに他の好ましい例では、前記名刺状カードを申し込んだ前記会員自身が、前記サーバ装置との間でデータ通信が可能な被写体画像印刷装置を用いて印刷することによって、当該会員が希望する画像を含む前記名刺状カードを入手する。この例では、前記名刺状カードが広告会社から配送されてくるのを待つ必要がなく、前記名刺状カードを迅速に入手できる、また、自己の希望する画像（いわゆるプリクラ画像）を含む名刺状カードが得られる、という利点がある。
【００５５】
本発明の第３及び第４の観点による広告システムのさらに他の好ましい例では、前記会員が、前記サーバ装置との間でデータ通信が可能な被写体画像印刷装置を用いて、当該会員が希望する画像を含む前記名刺状カードの発行を予約する一方、前記名刺状カードに表示される個人情報と前記名刺状カードに付される所望の広告主ロゴを当該会員の端末を用いて前記サーバ装置に送信することによって、前記名刺状カードの申込が行われる。この例では、自己の希望する画像（いわゆるプリクラ画像）を含む名刺状カードの予約が、前記画像を撮影した被写体画像印刷装置を用いてその場で行える、という利点がある。
【００５６】
本発明の第３及び第４の観点による広告システムのさらに他の好ましい例では、前記会員が、自己の端末を用いて会員登録を行って自己の認証情報を入手し、その後、当該端末と被写体画像印刷装置との間でデータ通信を行うことによって、当該端末中に保存されている前記認証情報を前記被写体画像印刷装置に取り込み、取り込まれたその認証情報を会員登録を行った際の認証情報と比較して、当該会員の認証を行う。この例では、当該会員の認証が簡易かつ自動的に行われる、という利点がある。
【００５７】
本発明の第３及び第４の観点による広告システムのさらに他の好ましい例では、前記広告付き名刺状カード提供サービスが、広告主がアクセス可能な広告申込用サイトを有しており、当該広告申込用サイトを通じてオンラインで広告デザイン用の画像と文言が送信される。この例では、広告主自身がオンラインで広告の申込を行える、という利点がある。
【００５８】
（７）  本明細書では、広告付き名刺状カード提供サービスの会員であって、自分の好みとする広告付き名刺状カードを申し込み、入手したその広告付き名刺状カードを知人等に配布する人を、広告付き名刺状カードの「親ユーザ」という。また、「親ユーザ」から広告付き名刺状カードを受け取り、それを店舗等に持参したり知人等に配布したりする人を、広告付き名刺状カードの「子ユーザ」という。そして、「親ユーザ」が使用する端末を「親ユーザ端末」、「子ユーザ」が使用する端末を「子ユーザ端末」という。したがって、一つの端末を「親ユーザ」が使用すれば、それは「親ユーザ端末」となり、「子ユーザ」が使用すれば、それは「子ユーザ端末」となる。
【００５９】
「親ユーザ端末」、「子ユーザ端末」共に、「親ユーザ」または「子ユーザ」の携帯電話機、ＰＨＳ（Personal Handyphone System）、ＰＤＡ（Personal Digital Assistant）等の情報表示用のスクリーンとデータ通信機能を有する携帯通信端末や、データ通信機能を有するパーソナルコンピュータ（デスクトップパソコンまたはノートパソコン）が好適に使用されるが、その他の端末であってもよい。情報表示とデータ送受信ができるものであれば、任意の端末が利用可能である。
【００６０】
「名刺状カード」は、通常は薄い紙で作製されるが、材料は紙に限定されない。他の材料（例えば軟質または硬質のプラスチック）で作製されてもよい。その大きさは、通常は一般的な名刺と同様のサイズとするが、それに限定されない。名刺と同様の機能を発揮できれば、その大きさは任意である。
【発明の効果】
【００６１】
本発明の広告方法及び広告システムによれば、（ａ）広告付きの名刺状カードを使用することによって低コストでいっそう高い広告効果が期待できる、（ｂ）名刺状カードを受け取った人を広告に関連する店舗等（従来の実在の店舗だけでなくネットショップも含む）に効果的に勧誘できる、（ｃ）配布した名刺状カードによって広告に関連する商品またはサービスの売上増加につながると、その名刺状カードを配布した人にアフィリエイト報酬が支払われる、（ｄ）名刺状カードの配布を通じて会員（親ユーザ）の数を増やすことができる、（ｅ）親ユーザ及び子ユーザの全動向をリアルタイムでトラッキング（追跡）可能である、という効果が得られる。
【発明を実施するための最良の形態】
【００６２】
以下、本発明の好適な実施の形態について、添付図面を参照して詳細に説明する。
【００６３】
（第１実施形態に係る広告システムの構成）
図１は、本発明の第１実施形態に係る、広告付きの名刺状カードを用いる広告システムの概略構成を示す概念図である。本発明の第１実施形態に係る広告方法は、当該広告システムを用いて実行される。
【００６４】
第１実施形態に係る広告システムは、図１に示すように、広告システム用サーバ装置１０を備えている。この広告システムは、インターネット（図示せず）上に開設された、広告付きの名刺状カードを用いた広告事業を行う広告会社のウェブサイト（図示せず）を開設しているが、このウェブサイトはサーバ装置１０によって実現されている。当該広告会社は、このウェブサイトを通じて、一般消費者に広告付き名刺状カードを無料で作成して送付するサービス（以下、「広告付き名刺状カード提供サービス」という）を提供する。このサービスは会員制であり、このサービスを受けることを望む人は当該ウェブサイトで所定の個人情報を登録して「会員」になる必要がある。
【００６５】
広告付き名刺状カード提供サービスで提供される名刺状カードの一例を図３に示す。図３の名刺状カード５００は、表面の個人情報領域５０１に所有者（親ユーザ）の個人情報（ここではニックネーム、電話番号、メールアドレス及びメッセージ）が表示されている（図３（ｂ）を参照）。個人情報領域５０１の個人情報は、ビジネスで使用されている一般的な名刺の場合とほぼ同様の態様で記載されている。個人情報領域５０１の下には、特典情報領域５０２が設けられており、そこには当該広告に対応する特典情報が記載されている。特典情報領域５０２の右隣り、すなわちカード５００の表面の右下角には、ＱＲコード５０３が記載されている。このＱＲコード５０３は、当該カード５００の識別コード（識別情報）としての「シリアル番号」と、仮登録を勧誘するサイトの「ＵＲＬ（Uniform Resource Locator）情報」とを含んでいるが、必要に応じてこれら以外の他の情報（例えば、店舗の識別コードないしシリアル番号）を含めることも可能である。また、ＱＲコード５０４を形成する箇所は、カード５００の表面の右下角には限定されず、表面のその他の任意の箇所に形成してもよいことは言うまでもない。必要なら、ＱＲコード５０４をカード５００の裏面に配置してもよい。
【００６６】
カード５００に付された識別コード（シリアル番号）は、そのカード５００に固有のものである。子ユーザが自分が受け取ったカード５００を用いていずれかの店舗で特典を得ると、その事実は所定のカード情報データベースに記録され、その後は、当該識別コード（シリアル番号）を持つカード５００を再度使用して特典を得ることはできないようになっている。
【００６７】
カード５００の裏面には、そのほぼ全面にわたって広告情報領域５０４が形成されている（図３（ａ）を参照）。この広告情報領域５０４には、当該所有者が選んだデザインの広告（ここでは広告主のロゴと商品の画像及び名称を含んでいる）が記載されている。この例では、広告情報領域５０４の中に特典情報５０５が記載されているが、広告デザインによっては特典情報５０５が存在しない場合もある。
【００６８】
また、名刺状カード５００の態様は、図３の例に限定されるものではなく、個人情報を記載する個人情報領域５０１と、特典情報を記載する特典情報領域５０２と、広告情報を記載する広告情報領域５０４とを備えていると共に、カード５００の任意の個所にＱＲコード５０３等の必要なカード識別情報が記載されていれば足り、必要に応じて任意の態様に設定し得る。要は、カード５００上に個人情報領域５０１、特典情報領域５０２及び広告情報領域５０４が存在し、必要なカード識別情報が付されていれば足りる。
【００６９】
サーバ装置１０は、インターネットを介して、親ユーザ端末１０１、１０２及び１０３並びに子ユーザ端末１１１との間でデータ通信が可能である。実際には、多数の親ユーザ端末及び子ユーザ端末との間でデータ通信が行われるが、ここでは、説明を簡単にするために、三つの親ユーザ端末１０１、１０２及び１０３と一つの子ユーザ端末１１１だけを示している。親ユーザ端末１０１、１０２及び１０３と子ユーザ端末１１１は、携帯電話機、ＰＨＳ（Personal Handyphone System）、ＰＤＡ等の情報表示用のスクリーンとデータ通信機能を有する携帯通信端末（車載端末を含む）や、データ通信機能を有するパーソナルコンピュータ（デスクトップパソコンまたはノートパソコン）が好適に使用されるが、その他の端末であってもよい。サーバ装置１０は、典型的には、サーバ用コンピュータ等のハードウェアと、そこにインストールされた種々のサーバ用ソフトウェアとから構成されるが、その構成には限定されない。例えば、サーバ装置１０はソフトウェアのみで構成されてもよい。
【００７０】
図４は、第１実施形態に係る広告システムのハードウェア構成を示す機能ブロック図である。
【００７１】
図４から明らかなように、広告システム用サーバ装置１０は、ファイアウォール２１を介してインターネット３０に常時接続されている。親ユーザ端末１０１としては、携帯電話機２００（図９を参照）が使用されており、基地局４１を介してインターネット３０に接続可能であると共に、サーバ装置１０との間でデータ通信（例えば、電子メールの送受信、ウェブサイトの閲覧、電子データのアップロード・ダウンロード等）が可能であり、また、組み込まれているスクリーン上に種々の情報（メニュー、指令、メッセージ等）を表示可能である。親ユーザ端末１０２としては、パソコン（デスクトップ型でもよいし、ノート型でもよい）が使用されており、データ回線やＬＡＮ（Local Area Network、特定区域内情報通信網）を介してインターネット３０に接続可能であると共に、サーバ装置１０との間でデータ通信（例えば、電子メールの送受信、ウェブサイトの閲覧、電子データのアップロード・ダウンロード等）が可能である。また、当該パソコンと組み合わせられた、あるいは当該パソコン中に組み込まれたディスプレイ装置のスクリーン上に、種々の情報（メニュー、指令、メッセージ等）を表示可能であることは言うまでもない。
【００７２】
子ユーザ端末１１１としては、親ユーザ端末１０１と同じ携帯電話機２００が使用されており、基地局４２及び４１を介してインターネット３０に接続可能であると共に、サーバ装置１０との間で親ユーザ端末１０１と同様のデータ通信が可能であり、また、組み込まれているスクリーン上に同様の情報を表示可能である。子ユーザ端末１１２としても、携帯電話機２００が使用されており、基地局４３を介してインターネット３０に接続可能であると共に、サーバ装置１０との間で親ユーザ端末１０１と同様のデータ通信が可能であり、また、組み込まれているスクリーン上に同様の情報を表示可能である。
【００７３】
サーバ装置１０は、図４に示すように、その内部に認証サーバ１１とデータベース（ＤＢ）サーバ１２、メールサーバ１３、ウェブサーバ１４を備えている。
【００７４】
認証サーバ１１は、公知の情報記憶装置に記憶された会員情報データベース１５を持っており、店舗等に持ち込まれた名刺状カード５００の識別コード（シリアル番号）を利用して、会員の認証を行う。すなわち、会員情報データベース１５を用いて、当該カード５００を配布した親ユーザ（会員）は誰か、を特定（識別）してその検証を行う。認証サーバ１１は、同様にして、当該ウェブサイトにアクセスしてきた人が当該サービスの会員か否かの認証も行う。
【００７５】
会員情報データベース１５は、「会員情報」、つまり広告付き名刺状カード５００を提供するサービスを受けられる会員（新規会員と既存会員の双方を含む）全員に関する個人情報を保存している。認証サーバ１１により、必要に応じて、特定の会員に関する個人情報の読み出し、書き込み、更新等が行われる。また、当該サービスの会員として仮登録された子ユーザの個人情報の保存、読み出し、書き込み、更新等も行われる。なお、会員毎のアフィリエイト件数情報、アフィリエイト報酬の支払い実績等のアフィリエイト関係情報は、認証サーバ１１とデータベースサーバ１２との協動によって、会員情報データベース１５に記録される。
【００７６】
メールサーバ１３は、サーバ装置１０を経由する電子メールの送信及び受信を制御する。また、新たな広告デザインが追加された旨やキャンペーンの開催等を会員に告知するために、定型的な電子メールを自動発信する作業等も行う。
【００７７】
ウェブサーバ１４は、上述した当該広告会社のウェブサイトを管理・制御する。
【００７８】
データベースサーバ１２は、公知の情報記憶装置に記憶されたカード情報データベース１６と、同じく公知の情報記憶装置に記憶された店舗情報データベース１７、ＱＲコード情報データベース１８、広告情報データベース１９、及びクーポン情報データベース２０を有している。データベースサーバ１２は、必要に応じて、認証サーバ１１に接続された会員情報データベース１５にもアクセス可能である。
【００７９】
カード情報データベース１６は、発行された全カード５００に係る情報を保存するデータベースである。カード情報データベース１６のテーブルは、例えば図２２に示すような構成であり、各カード５００に付された固有のカード・シリアル番号、当該カード５００に付された広告デザインの識別コード（広告デザインＩＤ）、当該カード５００を配布した会員（親ユーザ）の識別コード（会員ＩＤ）、当該カード５００に付されたＱＲコードの識別コード（ＱＲコードＩＤ）、会員毎のアフィリエイト件数情報、当該カード５００の発行枚数とその使用状況（つまり、当該カード５００が特典取得のために使用されたか否か）、等の各種情報を保存するフィールドを有している。カード情報データベース１６は、必要に応じて、会員情報データベース１５、店舗情報データベース１７、ＱＲコード情報データベース１８、広告情報データベース１９、及びクーポン情報データベース２０とリンクされており、これらのデータベース１５、１７、１８、１９及び２０から適宜、情報を読み出してカード情報データベース１６の対応するフィールドに記録される。
【００８０】
後述するように、各カード５００に付されたカード・シリアル番号は、会員識別コード（会員ＩＤ）（これは親ユーザ・シリアル番号に等しい）と、選択された広告デザインの広告デザイン識別コード（広告デザインＩＤ）とに関連づけられているので、あるカード５００のカード・シリアル番号を認識することができれば、それから当該カード５００を配布した会員（親ユーザ）と、そのカード５００に付された広告デザイン及び広告主をも認識することができる。
【００８１】
店舗情報データベース１７は、「店舗情報」、すなわち、当該広告付き名刺状カード提供サービスに対して広告を依頼した広告主に関連する店舗（広告主に関連する商品またはサービスを提供する場所であって、通常は店舗、事務所、窓口、カウンター等から構成される。インターネット上に開設されたいわゆるネットショップも含む）の名称、住所、種類、取扱商品・サービスの内容、店長の氏名・連絡先、ネットショップのＵＲＬ等の各種情報を保存するデータベースである。データベースサーバ１２は、必要に応じて、店舗情報データベース１７に対して特定の店舗情報（特定の広告に対応する）の読み出し、書き込み、更新等を行う。また、必要に応じて、特定の店舗情報をカード情報データベース１６に記録する。
【００８２】
ＱＲコード情報データベース１８は、「ＱＲコード情報」、すなわちＱＲコードに埋め込まれる識別情報（例えば、子ユーザ端末１１１等を接続させたい当該広告会社のウェブサイトの場所を示すＵＲＬ情報、広告デザインの識別コード、会員（親ユーザ）の識別コード等）と、ＱＲコードそれ自体の作製に必要な各種情報と、生成されたＱＲコードの画像情報等を保存するデータベースである。データベースサーバ１２は、必要に応じて、ＱＲコード情報データベース１８から特定のＱＲコード情報の読み出し、書き込み、更新等を行う。また、必要に応じて、特定のＱＲコード情報をカード情報データベース１６に記録する。
【００８３】
広告情報データベース１９は、「広告情報」、つまり当該広告会社が作成した種々の広告デザインに係る情報（すなわち「広告デザイン情報」、例えば広告デザイン画像とその識別コード等）と、広告主に係る情報（すなわち「広告主情報」、例えば広告主の企業名、本社住所、連絡先等の各種企業情報）とを保存するデータベースである。データベースサーバ１２は、必要に応じて、広告情報データベース１９に対して特定の広告デザインや広告主に係る情報の読み出し（再生）、書き込み（記録）、更新等を行う。また、必要に応じて、特定の広告情報をカード情報データベース１６に記録する。
【００８４】
クーポン情報データベース２０は、種々の電子クーポンを生成・表示するための情報（つまり「クーポン情報」）を保存するデータベースである。データベースサーバ１２は、必要に応じて、クーポン情報データベース２０に対して特定のクーポン情報（特定の広告に対応する）の読み出し、書き込み、更新等を行う。また、必要に応じて、特定のクーポン情報をカード情報データベース１６に記録する。
【００８５】
図５は、図４の広告システム用サーバ装置１０の内部構成を示す機能ブロック図である。このサーバ装置１０が全体として持つ機能は、図５に示す各種機能実行部の組み合わせとして表すことができる。すなわち、ユーザ登録・認証部１０ａと、電子メール制御部１０ｂと、ウェブサイト制御部１０ｃと、サーバ制御部１０ｄである。ユーザ登録・認証部１０ａ、電子メール制御部１０ｂ、ウェブサイト制御部１０ｃ及びサーバ制御部１０ｄは、ここではソフトウェアにより実現されている。
【００８６】
ユーザ登録・認証部１０ａは、新規の親ユーザ（新規会員）の個人情報登録、既存の親ユーザ（既存会員）の個人情報の更新や抹消、新規子ユーザ（仮登録会員）の個人情報登録、既存の親ユーザのログイン時の認証といった種々の機能を実行する。例えば、新規の親ユーザ（新規会員）の個人情報を受け取り、データベースサーバ１２を介して会員情報データベース１５に保存する。また、必要に応じて、会員情報データベース１５に保存されている既存の親ユーザ（既存会員）の個人情報を読み出し、あるいは更新、削除する。また、子ユーザが店舗等で提示した名刺状カード５００の親ユーザが正規のユーザ（会員）であるか否かを認証するためにカード情報データベース１６や会員情報データベース１５を検索したり、その子ユーザを当該サービスの会員として仮登録するために会員情報データベース１５にアクセスしたり、当該親ユーザのアフィリエイト件数情報を更新するために会員情報データベース１５にアクセスしたりする。
【００８７】
電子メール制御部１０６ｂは、電子メールの送受信全般（例えばキャンペーン告知用電子メールの送信、ユーザからの照会用電子メールの受信等）の制御という機能を実行する。例えば、サーバ装置１０を経由する電子メールの送受信を制御すると共に、新規の広告デザインが登録された旨を既存の親ユーザに告知する等のための定型文を含む電子メール（キャンペーン告知用電子メール）の送信を行う。また、メールアドレス等を知らせる外部からの電子メールの受信を行い、それに応答して定型的な電子メールを送信する等の関連する動作も行う。
【００８８】
ウェブサイト制御部１０ｃは、当該広告会社のウェブサイトの制御（管理）という機能を実行するものである。例えば、所定のＵＲＬに設置された広告会社ウェブサイトに所定のテキスト情報や画像情報を表示する、当該ウェブサイトを介する情報の入出力を制御する、といった種々の必要な動作を行い、当該ウェブサイトを維持・管理する。
【００８９】
サーバ制御部１０ｄは、サーバ装置１０の動作全体を制御する。すなわち、カード情報データベース１６と、店舗情報データベース１７、ＱＲコード情報データベース１８、広告情報データベース１９及びクーポン情報データベース２０への各種情報の記録、再生、更新、削除を制御する。また、ユーザ登録・認証部１０ａ、電子メール制御部１０ｂあるいはウェブサイト制御部１０ｃの指令に応じて、あるいはそれと協動して、カード情報データベース１６やこれらのデータベース１７、１８、１９及び２０を用いて特定の情報（データ）の検索も行う。その他には、例えば、既存の親ユーザのアフィリエイト件数の登録とその更新や、広告効果を示すリアルタイム・レポートの生成・表示等も、サーバ制御部１０ｄが行う。
【００９０】
第１実施形態に係る広告システムで親ユーザ端末または子ユーザ端末として使用可能な携帯電話機の構成の一例を図９に示す。この携帯電話機２００は、本体２０１と、本体２０１に対して折り畳み可能に接続された表示部２０２とを有している。本体２０１の表面には、図９（ｂ）に示すように、一連の操作ボタン２０５と、本体２０１の表面に沿った四つの向きに変位可能なボタン状コントローラ２０６と、マイク２０７と、スピーカ２０８と、内蔵しているデジタルカメラ（図示せず）用のシャッタ２０９が設けられている。本体２０１にはさらに、図９（ａ）に示すように、通信用のアンテナ２１０が取り付けられている。表示部２０２の内面には、各種情報を表示するための矩形のスクリーン２０４が設けられており、その外面には、カメラレンズ２０３が露出せしめられている。内蔵されたデジタルカメラは、カメラレンズ２０３をＱＲコードに向けてシャッタ２０９を操作することにより、ＱＲコードのキャプチャが可能である。つまり、携帯電話機２００は、公知のＱＲコードリーダと同様の機能を持っている。
【００９１】
親ユーザ端末または子ユーザ端末としてパソコンやＰＤＡを使用する場合は、そのパソコンやＰＤＡに公知のＱＲコードリーダを接続することにより、ＱＲコードのキャプチャが可能である。
【００９２】
（第１実施形態に係る広告システムの動作）
次に、以上の構成を持つ第１実施形態に係る広告システムの動作、換言すれば、第１実施形態に係る広告方法について、図６及び図２を参照しながら説明する。図６は、この広告システムの動作と、親ユーザ及び子ユーザと、店舗スタッフの動作を含む業務フローの全体を示すフローチャートである。図２は、これらの動作を広告主、名刺状カード発行サービス提供会社、親ユーザ、子ユーザ及び店舗スタッフに分けて表示したフローチャートである。
【００９３】
まず、広告主の依頼によって当該広告会社が作成した広告デザインに係る情報、すなわち「広告デザイン情報」を、広告主情報と共にサーバ装置１０の広告情報データベース１９に順次保存していく（ステップＳ１）。この広告デザインは、名刺状カード５００の裏面の広告情報領域５０４に配置されるものである。新しい広告主との契約が決まり、あるいは新しい広告デザインの追加が決まると、新規の広告デザイン情報が随時追加されていくことになる。
【００９４】
こうして、広告情報データベース１９に保存された広告デザインは、会員が当該ウェブサイトにアクセスすれば、一覧できるようになっており、一覧された複数の広告デザインの中から自分の好みに合った広告主の広告デザインを選択して、当該会員専用の広告付き名刺状カードを作成することができる。
【００９５】
次に、当該広告会社は、その広告付き名刺状カード提供サービスを受けられる人を募集し、会員として登録してもらう（ステップＳ２）。そのために、当該広告会社のウェブサイトやその他のマスメディアを使用してその旨を社会に公表すると共に、当該ウェブサイト上で会員登録ができるようにしている。会員として考えられるのは、会議、飲み会、パーティ、コンパ等の種々の会合で名刺状カードを配布する機会が多い人、すなわち会社員、学生、主婦、フリーター等である。
【００９６】
会員登録する際に行われるプロセスの一例を図１１に示す。このプロセスを実現する方法は周知であるから、その説明は省略する。
【００９７】
当該広告会社のウェブサイトの会員登録用フレームにアクセスすると、端末のスクリーン上に、ログイン画面６０１が最初に表示される。そこで、ログイン画面６０１上の「会員登録画面へ」というボタンを適当なポインタでクリックすると、個人情報入力画面６０２が表示される。そこで、住所、氏名、生年月日、職業、電話番号、メールアドレス等の所定の個人情報と、次回以降にログインする場合に使用するパスワードを入力する。個人情報の入力が完了し、「確認」ボタンをポインタでクリックすると、登録完了告知画面６０３が表示される。これで会員登録は完了である。最後に、「閉じる」ボタンをポインタでクリックし、登録完了告知画面６０３を閉じて、会員登録動作を終了する。なお、この時、各会員には独自の識別コードが割り当てられる。こうして登録された個人情報は、会員情報データベース１５に記録される（図２２を参照）。
【００９８】
広告デザイン情報保存用データベース１６に広告デザインが格納された場合、キャンペーン開催時にサーバ装置１０から電子メールで全会員に告知される。また、当該ウェブサイト上でも告知される（ステップＳ３）。会員は、自己の端末でその電子メールを受信して読むことにより、あるいは当該ウェブサイトにアクセスすることにより、その事実を容易に知ることができる。
【００９９】
広告付き名刺状カードを望む会員は、当該ウェブサイトにアクセスし、広告デザイン情報保存用データベース１６に保存された広告デザイン・リストの中から自分の好みに合った広告主の広告デザインを選択してから、選択したその広告デザインを付した広告付き名刺状カードの作成を申し込む（ステップＳ４）。この申込みは、当該ウェブサイト上で行う。
【０１００】
広告付き名刺状カードの作成を申し込む際に行われるプロセスの一例を図１２に示す。当該広告会社の広告付き名刺状カード申込用サイトにアクセスすると、端末のスクリーン上に、ログイン画面（カード申込画面）６１１が最初に表示される。そこで、ログイン画面６１１上で、自分の識別コード（ＩＤ）（ここではシリアル番号）とパスワードを所定欄に入力し、「次へ」ボタンを適当なポインタでクリックすると、会員固有の広告主選択画面６１２が表示される。そこで、一覧されている広告主群の中から希望する広告主を一つ、クリックにより選択する。その後、「次へ」ボタンをポインタでクリックすると、選択した広告主のカードデザイン選択画面６１３が表示される。
【０１０１】
カードデザイン選択画面６１３では、好みの広告主（通常は企業）の広告デザインを選択する。通常、広告主毎に複数の広告デザインが用意されているから、広告主選択画面６１２で好みの広告主を一つ選び、次にカードデザイン選択画面６１３でその広告主の広告デザインを一つ選択することになる。その後、「無料作成」ボタンをポインタでクリックすると、カード表示情報入力画面６１４が表示される。
【０１０２】
カード表示情報入力画面６１４では、（１）氏名／ニックネーム欄、（２）メールアドレス／電話番号欄、（３）フリースペース欄の三つの欄に、希望する情報をそれぞれ入力する。これら三つの欄の情報は、図３（ｂ）に示すように、名刺状カード５００の個人情報領域５０１に表示される。（１）氏名／ニックネーム欄には、必ずしも自分の氏名（本名）を入力する必要はなく、ニックネームを入力してもよい。（２）メールアドレス／電話番号欄には、希望に応じて、電話番号あるいはメールアドレス、またはその両方を入力する。（３）フリースペース欄には、希望する任意の情報を入力する。例えば、「いつでもヒマな時連絡してね！！」等の任意のメッセージを入力すればよいが、自分の住所等の連絡先を入力してもよい。その後、「確認」ボタンをポインタでクリックすると、申込完了告知画面６１５が表示される。これで名刺状カードの申込みは完了である。最後に、「閉じる」ボタンをポインタでクリックし、申込完了告知画面６１５を閉じて、カード申込動作を終了する。
【０１０３】
当該広告会社は、その申込みに応じて直ちに、当該会員の個人情報（通常は、会員の氏名またはニックネーム、電話番号、メールアドレスであるが、これらに限定されるわけではない）と、選択された広告デザインを付した広告付き名刺状カード５００を作製し、当該会員の所定の配送先あてに発送する作業に入る。各種の広告デザインを裏面に付した名刺状カード５００は、所定数が予め在庫として用意されており、その表面の個人情報領域５０１に入力された当該会員の個人情報を印刷することによって当該会員専用の名刺状カード５００を所定数、作製する。こうして作製された名刺状カード５００は、郵送、宅配便等で当該会員宛に無料で送付される（ステップＳ５）。このカード５００の発送作業は、当該広告会社自身が行ってもよいし、外部の企業に発注して行ってもらってもよいことは言うまでもない。
【０１０４】
特定の広告デザインが付いている名刺状カード５００の総数は、適当な値に制限される。例えば、ある会員の申込１回当たり１セット（２０枚）が発行されることとし、１日の発行数は最大１０セットに制限される。そして、そのカード５００を１００セット、在庫として用意しておき、在庫がなくなれば発行停止とするのである。換言すれば、特定の広告デザインが付いている名刺状カード５００を例えば２０００枚、在庫として用意しておき、会員から申込があると、在庫されているカード５００の２０枚に当該会員の個人情報を追加して当該会員専用のカード５００を作製する。こうして作製した２０枚のカード５００を１セットとして発行する。同じ広告デザインの付いたカード５００の１日当たりの発行数は最大１０セットに制限されるので、異なる１０人の会員から同じ広告デザインの付いたカード５００の申込があると、その日の以後のカード発行は停止される。また、同じ広告デザインの付いたカード５００の在庫は１００セットであるから、最短では１０日で在庫がなくなることになる。在庫がなくなった段階で、その広告デザインのカード５００は発行停止とする。他の広告デザインの付いたカード５００についても、同様とする。
【０１０５】
このようにある会員からの申込１回当たりのカード５００の発行数を１セット（例えば２０枚）に制限する理由は、会員１人あたりに送付されるカード５００の枚数が多すぎると、知人等に配布されずに無駄になる可能性があるからである。また、同じ広告デザインの付いたカード５００の１日当たりの発行数を制限する理由は、同じ日に個人情報は異なるが広告デザインが同じカード５００が多数発行されると、同じ広告デザインのカード５００が多数、同時期に配布されることになるから、その広告デザインの希少性が低下してその広告効果が低下すると考えられるからである。また、同じ広告デザインのカード５００が、広告キャンペーン期間の全体にわたってほぼ均等に配布されるようにして、当該機関全体にわたって広告効果が得られるようにするためでもある。これは、名刺状カード５００は、年間契約に基づいて１年間にわたってほぼ均等に発行されることもあるが、ある商品やサービスの販売促進キャンペーンに応じて短期間に集中して発行されるのが通常であることを考慮したものである。カード５００の在庫数は、広告の対象となる商品・サービスの内容と、広告キャンペーン期間の長さ、コスト等を考慮して決められる。
【０１０６】
名刺状カード５００の発行（すなわち作製及び発送）が済むと、名刺状カード５００で特典が得られるキャンペーンを開催する旨を電子メール、ウェブサイト等で周知させる（ステップＳ６）。
【０１０７】
上記のようにして自分の好みに合った広告主の広告デザインと自己の個人情報が付された自己の名刺状カード５００を受け取った会員は、コンパ、パーティ、忘年会、新年会、祝賀会、オフラインミーティング等の適当な会合に参加してその名刺状カード５００を知人・友人・取引先等に配布する（ステップＳ７）。この会員は、その名刺状カード５００の「親ユーザ」となる。「親ユーザ」からその名刺状カード５００を受け取った人は、すべてその名刺状カード５００の「子ユーザ」となる。
【０１０８】
子ユーザは、名刺状カード５００に記載されている特典情報を見てその特典を得ようと思えば、あるいは、当該広告に係る商品またはサービスの購買意欲が湧けば、その広告の広告主に係る店舗群（換言すれば、その商品またはサービスを購入できる店舗群）のうちのいずれか（以下、これを「関連店舗」という）を訪問する（ステップＳ８）。これは、カード５００上の特典情報を得るためには、当該店舗の識別コード（店舗シリアル番号）を知る必要があるからである。
【０１０９】
そして、当該子ユーザの端末１１１（例えば携帯電話機）を用いて、当該カード５００上のＱＲコード５０３をキャプチャ（capture、データとして取り込む）する（ステップＳ９）。これは、当該子ユーザが、この操作をウェブサイト、カード５００上に記載された説明等で既に知っている場合である。この操作を知らない子ユーザは、そのカード５００を当該関連店舗の店員に提示し、店員から教えてもらってから、同様の操作をすることになる。
【０１１０】
当該子ユーザの端末１１１に組み込まれたデジタルカメラで、当該カード５００上のＱＲコード５０３をキャプチャすることにより、ＱＲコード情報が読み出される。そのＱＲコード情報には、当該カード５００に付された固有のカード識別情報と、子ユーザ端末１１１等を接続させたい当該広告会社のウェブサイトの場所を示すＵＲＬ情報とが含まれているので、当該子ユーザ端末１１１はそのデータ通信機能を利用して、当該ＵＲＬ情報で表示されたＵＲＬに自動的に接続される（ステップＳ１０）。その結果、当該子ユーザ端末１１１のスクリーン２０４に当該ウェブサイトの所定画面が表示される。
【０１１１】
ＱＲコード５０３から抽出されるＵＲＬ情報は、例えば、「ｈｔｔｐ；／／ｗｗｗ．ａｂｃｄ．ｎｅ．ｊｐ／ｅｆ１２３４ｇｈ５６．ｈｔｍ」のように、インターネット上における所望サイトの場所（ウェブサーバーのアドレス）を示す狭義のＵＲＬ「ｈｔｔｐ；／／ｗｗｗ．ａｂｃｄ．ｎｅ．ｊｐ／」と、カード５００に固有のカード・シリアル番号に対応する情報「ｅｆ１２３４ｇｈ５６・・・・．ｈｔｍ」とを組み合わせて生成されている。（カード・シリアル番号に対応するこの情報は、カード・シリアル番号それ自体ではなく、暗号化処理が施されたものとするのが好ましい。）サーバ装置１０は、当該ＵＲＬ情報を解析処理することにより、当該カード５００の固有のカード・シリアル番号を抽出して認識することができる。
【０１１２】
そこで、子ユーザ端末１１１が上記ＵＲＬに接続されると、サーバ装置１０は、ＱＲコード５０４から抽出されたカード・シリアル番号を用いて、カード情報データベース１６を検索する。その結果、当該カード５００を配布した親ユーザ（会員）のシリアル番号（識別ＩＤ）が特定される（ステップＳ１１）。この時、当該カード５００に付された広告デザインのシリアル番号（識別ＩＤ）、広告主のシリアル番号（識別ＩＤ）等も、同時に特定される。
【０１１３】
次に、当該店舗のシリアル番号と当該子ユーザのメールアドレスとを入力して送信するよう依頼するメッセージを、子ユーザ端末１１１のスクリーン２０４に表示させる（ステップＳ１２）。このメッセージは、現在接続中のＵＲＬに予め設定されているページ（画面）であり、子ユーザ端末１１１が当該ＵＲＬにアクセスした後、所定時間経過後に自動的に読み出されて当該子ユーザ端末１１１のスクリーン２０４に表示される。
【０１１４】
そこで、子ユーザは、子ユーザ端末１１１のスクリーン２０４に表示された所定の領域に、当該店舗のシリアル番号と子ユーザのメールアドレスとを入力し、表示されているボタンを押してこれらの送信を行う（ステップＳ１３）。この動作を図示すると、図１０（ａ）に示すようになる。スクリーン２０４には、「店舗シリアル番号とあなたのメールアドレスを入力し、クリックボタンを押して下さい。」というメッセージが表示されており、その下方に店舗シリアル番号入力領域２２１とメールアドレス入力領域２２２と「クリック」ボタン２２３が表示されている。店舗シリアル番号入力領域２２１とメールアドレス入力領域２２２に、当該店舗のシリアル番号と当該子ユーザのメールアドレスをそれぞれ入力してから、「クリック」ボタン２２３をポインタでクリックすると、入力された店舗シリアル番号とメールアドレスがサーバ装置１０に向けて送信される。
【０１１５】
子ユーザ端末１１１から送られた当該店舗のシリアル番号と子ユーザのメールアドレスをサーバ装置１０が受信すると、サーバ装置１０は、当該店舗シリアル番号と、先にＱＲコード５０４から抽出されたカード・シリアル番号とを用いて、親ユーザ（会員）の認証を行ってから、受信した子ユーザのメールアドレスに所定のＵＲＬ情報を送信する。これにより、当該ＵＲＬ情報と共に、その当該サービスの会員としての「仮登録」の承認を要望するメッセージ（を含む画面）が、子ユーザ端末１１１のスクリーン２０４に表示される（ステップＳ１４）。仮登録の承認を要望するメッセージの一例は、図１０（ｂ）に示すようなものである。スクリーン２０４には、ＵＲＬ表示領域２２４と「クリック」ボタン２２５が表示されており、ＵＲＬ表示領域２２４の中に所定のＵＲＬ（図示せず）が表示される。仮登録の承認を拒絶すると、子ユーザは当該カード５００に記載されていた特典を受けられないので、子ユーザはこれを承認する確率が大である。このプロセスは、子ユーザを親ユーザに誘導して、当該サービスの会員数を増加させることを意図したものである。
【０１１６】
子ユーザが仮登録を承認する場合は、表示されている「クリック」ボタン２２５をポインタでクリックする（ステップＳ１５）。すると、仮登録承認の情報がサーバ装置１０に送信されるので、サーバ装置１０はそれに応じて、カード情報データベース１６とクーポン情報データベース２０を検索し、当該カード５００の特典情報領域５０２に記載された特典に対応するクーポン情報（通常は電子クーポン用画像であるが、一連の文字であってもよい）を読み出てし、子ユーザ端末１１１に送信する。こうして送信されたクーポン情報は、直ちに子ユーザ端末１１１のスクリーン２０４に表示される（ステップＳ１６）。
【０１１７】
そこで、子ユーザは、スクリーン２０４に表示された電子クーポンを当該店舗のスタッフに提示し、その電子クーポンに表示された特典の提供を当該スタッフから受けることができる（ステップＳ１７）。
【０１１８】
スクリーン２０４に表示された電子クーポンの一例を、図１０（ｃ）に示す。スクリーン２０４の中央部に「生ビール１杯無料」という文字と画像（図示せず）を含むクーポン画像（電子クーポン）２２６が表示されている。「仮登録ありがとうございました。」というお礼のメッセージも表示されている。
【０１１９】
最後に、カード５００によって子ユーザを当該店舗に勧誘した当該親ユーザに対して、所定のアフィリエイト報酬が支払われる。換言すれば、カード情報データベース１６中に設定されている当該親ユーザのアフィリエイト件数フィールドの現在値に「＋１」が加算される（ステップＳ１８）。
【０１２０】
第１実施形態に係る広告システムの全体動作（広告方法）は、上述したとおりであるが、図１に示したように、カード５００の作成を依頼した親ユーザ（会員）自身が、そのカード５００を持参して関連店舗を訪問し、親ユーザ端末１０３を用いて子ユーザと同様に特典を受けることも可能である。この場合は、親ユーザ自身が上述した子ユーザとなることになる。
【０１２１】
この広告システムのアフィリエイト（affiliate）機能は、親ユーザが配布したカード５００を持参して関連店舗を訪問した子ユーザの数を算出し、その数に応じたリベートを当該親ユーザ（会員）に支払うようになっている。具体的に言えば、ステップＳ１３において、子ユーザが当該店舗のシリアル番号と自己のメールアドレスとを入力して送信した時、それらを受信したサーバ装置１０は、ステップＳ１４で、受信した子ユーザのメールアドレスに所定のＵＲＬ情報を送信し、仮登録の承認を要望する。その際に、当該親ユーザのアフィリエイト件数の現在値に「＋１」が加算される。各親ユーザ（会員）のアフィリエイト件数情報は、会員情報データベース１５中に会員情報の一つとして保存されている。アフィリエイト件数が所定数に達すると、当該広告企業から当該親ユーザに対して所定のリベート（アフィリエイト報酬）が支払われる。なお、このリベートは、月毎にアフィリエイト件数を算出してその件数に応じて支払ってもよいし、アフィリエイト件数１件毎に１ポイント（例えば１０円に相当）を与えるようにしてもよい。
【０１２２】
各親ユーザ（会員）のアフィリエイト件数の変化状況は、サーバ装置１０で常時計数されており、リアルタイムで、例えば一覧表またはグラフの型式で表示されるようになっている。したがって、各親ユーザ（会員）は自己のアフィリエイト件数の変化をリアルタイムで知ることが可能である。
【０１２３】
この広告システムは、広告主に対するリアルタイム・レポート（Real-time Report）機能をも持っている。すなわち、当該ウェブサイト上で会員からのカード申込状況を監視することにより、当該広告主の広告が付されたカード５００の総発行枚数と残枚数の変化をリアルタイムで常時把握することができる。また、子ユーザ端末１１１の上記ＵＲＬへの接続を監視することにより、ＱＲコード５０３（カード５００）の利用状況もリアルタイムで常時把握することができる。その結果、何人の親ユーザが何枚のカード５００を申し込み、そのうちの何枚が販売促進に貢献したか、特定の親ユーザからカード５００を受け取った子ユーザのうち何人がそれを利用したか、をグラフで一覧することができるようになっている。
【０１２４】
さらに、会員を増やすため、図２５（ａ）に示すように、当該広告会社のウェブサイトとリンクされた企業やソシアル・ネットワーキング・サービス（Social Networking Service,ＳＮＳ）のウェブサイト、あるいは適当なブログの画面中に、当該広告会社のウェブサイトに自動的にジャンプするボタン９０１やメニューバー９０２を埋め込んでおくのが好ましい。こうすると、閲覧者が適当なポインタでボタン９０１をクリックし、あるいはメニューバー９０２を選択すると、当該広告会社のウェブサイトの所定画面に自動的にジャンプするため、閲覧者を当該広告会社のウェブサイトに効果的に誘導することができる。また、図２５（ｂ）に示すように、懸賞や転職等のポータルサイト画面中に、ボタン９０３を埋め込んでおき、そのボタン９０３をクリックすることにより、ＡＳＰ（Active Server Pages）の作用によって、当該ポータルサイトの画面中に当該広告会社のウェブサイトの埋込み画面９０４が表示されるようにしてもよい。この場合も、同様の効果が得られる。こうすることにより、これらのページ（画面）へのアクセス状況や、ボタン９０１、メニューバー９０２、ボタン９０３の操作状況を個別に監視することにより、当該ページ（画面）が閲覧された回数と、当該ページ（画面）を経由して当該広告会社のウェブサイトにジャンプした回数とを、リアルタイムで常時把握することができる。その結果、全提携先について、あるいは提携先毎に、閲覧者の動向、すなわち、どのウェブサイトやブログから何人が当該広告会社のウェブサイトを閲覧し、そのうちの何人が会員登録したか、といった情報もリアルタイムで把握することが可能である。
【０１２５】
このようにして、広告主は、当該ウェブサイトの所定画面にアクセスすれば、いつでも、自社が依頼した広告の利用状況と広告効果とを確認することができる。
【０１２６】
（第１実施形態に係る広告システムにおける名刺状カード作製処理）
第１実施形態に係る広告システムでは、名刺状カードの作製は次のようにして行われる。
【０１２７】
まず、「名刺状カードに広告を掲載したい」との依頼が広告主（企業）からあると、その企業情報（社名、本社住所、代表者氏名、資本金、従業員数、前期売上高、事業概要、担当者の部署・役職・氏名、電話番号、ファクシミリ番号、メールアドレス、ホームページＵＲＬ、パスワード等）（すなわち広告主情報）に、当該広告主に固有の広告主ＩＤを付してから、広告情報データベース１９に格納する。カード５００上に表示される各種特典に対応するクーポン画像情報は、クーポン情報データベース２０に格納しておく。
【０１２８】
名刺状カード５００を使った特典を利用できる上記広告主の店舗群（あるいは広告主に関連する企業等の店舗群）に関する情報を提供してもらい、その店舗情報に当該店舗に固有の店舗ＩＤ（店舗シリアル番号）を付してから、店舗情報データベース１７に格納する。
【０１２９】
当該広告主の依頼により当該広告会社が広告デザインを作製すると、作製した広告デザインの各々に対して、当該広告デザインに固有の広告デザインＩＤを付してから、広告主情報と同じ広告情報データベース１９に格納する。そして、作製された広告デザインを裏面の広告情報領域５０４に印刷し、表面の特典情報領域５０２に当該広告デザインに対応する特典を印刷したカード５００を、公知の方法で作製する。作製されるカード５００の総枚数は、当該広告主の意向に従って決められるが、それがカード５００の在庫枚数になる。この時、カード５００の個人情報領域５０１は空白のままであり、ＱＲコード５０３も印刷されていない。
【０１３０】
上記広告主のために印刷された所定枚数（これはカード５００の在庫数に等しい）のカード５００の各々には、固有のカード・シリアル番号が付されるので、まずカード・シリアル番号を決定する。そして、それらカード・シリアル番号を、カード情報データベース１６の対応するフィールドに格納する。これらのカード・シリアル番号は、例えば１０桁の英数字で表示される。
【０１３１】
ある会員（親ユーザ）が上記広告主の広告デザインのいずれか一つを選択してカード５００を申し込むと、その会員ＩＤ（親ユーザ・シリアル番号）と選択された広告デザインの広告デザインＩＤとを、予め登録（格納）されているカード・シリアル番号のいずれか一つに割り当て、カード情報データベース１６の対応するフィールドにそれぞれ格納する。また、こうして割り当てられた当該カード・シリアル番号に、子ユーザ端末１１１等を接続させたい当該広告会社のウェブサイトの場所を示すＵＲＬ情報を組み合わせてから、所定の方式に従って画像化してＱＲコード５０３を作成する。こうして作成されたＱＲコード５０３の画像情報（ＱＲコード情報）は、ＱＲコード情報データベース１８に格納される。ＱＲコード５０３は、ＱＲコード情報データベース１８に格納されたＱＲコード情報を用いて生成され、カード５００上の所定箇所に記載（印刷）される。また、当該会員（親ユーザ）が入力した、カード５００上に表示されるべき個人情報は、カード５００の個人情報領域５０１に印刷される。
【０１３２】
以上のステップを通じて、当該会員（当該親ユーザ）が希望する広告デザインが付された、当該会員に固有の広告付き名刺状カード５００が所定枚数、作製される。その後、当該会員の所定の配送先あてに宅配便、郵便等で送付される。
【０１３３】
（第１実施形態に係る広告システムにおける名刺状カード発行処理）
図７は、第１実施形態に係る広告システムにおける名刺状カード５００の申込受付からその発送指示までの処理を示すフローチャートである。この処理は、サーバ装置１０のサーバ制御部１０ｄが実行する。
【０１３４】
まず、会員が当該ウェブサイトの所定箇所にアクセスし、特定の広告主を選択すると共に、当該広告主の広告に適用可能な複数の広告デザインから好みに合うものを一つ選択して、自己の個人情報が入った名刺状カード作成の申込をする（図１２を参照）と、その申込は一旦受け付けられる（ステップＳ２１）。その後、当該申込のあった日に、その申込で特定（選択）された広告デザインと同一の広告デザインを使用する名刺状カード作成の申込が既にあったか否かを判断する（ステップＳ２２）。この判断は、カード情報データベース１６を検索して、以前に同一会員ＩＤで同一デザインＩＤの名刺状カード５００に所定のカード・シリアル番号が割り当てられているか否かを調査すれば、容易に判断できる。この検索・判断は、自動的に実行される。
【０１３５】
その結果、同一の広告デザインを使用する名刺状カード作成の申込が、以前になかったと判断した場合には、その申込を受諾する（ステップＳ２３）。その後、申し込まれた内容に応じて、すなわち、申込者によって指定された個人情報と広告デザインを使用して、名刺状カード５００を所定枚数作成して送付するよう指示される（ステップＳ２４）。名刺状カード５００の個人情報領域５０１に記載される個人情報は、申込者（会員）の希望に応じて、例えば、図３に（ｂ）示すように、申込者の氏名またはニックネーム、電話番号、メールアドレス、メッセージと指定される。広告情報領域５０４に記載される広告情報は、申込者が選択した広告主の広告デザインに指定される。特典情報領域５０２に記載される特典情報は、申込者が選択した広告主が指定した特典に指定される。広告主が複数の特典を指定していてそれらの中から選択可能になっていれば、当該広告会社がそれら特典の中からランダムに一つを選択して指定する。この点は、広告主や申込者の要望に応じて、任意に変更が可能である。
【０１３６】
こうして、所定枚数の名刺状カード５００が作成されると、申込者の指定した配送先に郵便、宅配便等で送付される。発送作業は、当該広告会社が行ってもよいし、運送業者に委託してもよい。
【０１３７】
ステップＳ２２で、その申込みで特定（選択）された広告デザインと同一の広告デザインを使用する名刺状カード作成の申込が同日にあったと判断した場合は、次に、その先の申込が同一の会員によるものか否かを判断する（ステップＳ２５）。そして、同一人であれば、申込を拒否して処理を終了する（ステップＳ２９）。この場合は、カードは作製されないことになる。
【０１３８】
ステップＳ２５で同一人の申込でないと判断すると、次に、申込枚数がその日に発行しうるカード枚数（すなわち、カード５００のセット数）の上限を超えるか否かを判断する（ステップＳ２６）。そして、カード枚数の上限を超えないと判断すると、次に発行停止になっているか否かを判断する（ステップＳ２７）。これは、カード枚数の上限を超えていなくても、広告主の事情により、そのデザインのカード５００が発行停止になっている場合があるからである。また、会員側の事情により、当該会員に対しては発行停止になっている場合、換言すれば、当該会員からの申込を一切拒否する場合があるからである。発行停止になっていないと判断すると、ステップＳ２３に飛び、ステップＳ２２で同一の広告デザインを使用する名刺状カード作成の申込みがなかった場合と同様にして、所定枚数のカード５００の作製・送付が指示される（ステップＳ２４）。
【０１３９】
ステップＳ２７で発行停止になっていると判断すると、申込を拒否して処理を終了する（ステップＳ２８）。この場合もカードは作製されない。
【０１４０】
ステップＳ２６でカード枚数の上限を超えると判断すると、次に、広告デザインを他のものに変更可能か否かを判断する（ステップＳ３０）。これは、例えば、カード申込画面に「広告デザインの変更が可能ですか」という欄を設けておき、その欄の回答がＹＥＳであるか否かを調査すれば、容易に判断することができる。広告デザインを他のものに変更できる場合は、次に、申込枚数がその日に発行しうるカード枚数（すなわち、カード５００のセット数）の上限を超えるか否かを判断する（ステップＳ３１）。そして、カード枚数の上限を超えないと判断すると、次に発行停止になっているか否かを判断する（ステップＳ３２）。発行停止になっていないと判断すると、ステップＳ３３に進んで申込を受諾する（ステップＳ３３）。そして、図１２のカードデザイン選択画面６１３を用いて、当該会員に新たなデザインを決定してもらう（ステップＳ３４）。その後、ステップＳ２３に飛び、ステップＳ２２で同一の広告デザインを使用する名刺状カード作成の申込みがなかった場合と同様にして、所定枚数のカード５００の作製・送付が指示される（ステップＳ２４）。
【０１４１】
ステップＳ３０で他の広告デザインに変更できない場合、ステップＳ３１でカード枚数の上限を超えると判断した場合、そしてステップＳ３２で発行停止になっていると判断した場合は、いずれも、申込を拒否して処理を終了する（ステップＳ３５）。これらの場合は、カードは作製されない。
【０１４２】
なお、図７では示していないが、例えば、ステップＳ２２、Ｓ２７、Ｓ３４の後に、申込のあった名刺状カード５００の数が当該カードの在庫数を越えないかどうかを判断するステップを追加してもよい。
【０１４３】
（第１実施形態に係る広告システムにおける特典供与処理）
次に、第１実施形態に係る広告システムにおける店舗での特典供与処理について、図８を参照しながら説明する。図８は、その特典供与処理を示すフローチャートである。
【０１４４】
まず、子ユーザによって持参された名刺状カード５００のＱＲコード５０３をキャプチャすることにより抽出される当該広告サービス会社の所定ＵＲＬが、子ユーザ端末１１１から呼び出されたか否かを判断する（ステップＳ４１）。換言すれば、子ユーザ端末１１１からの当該ＵＲＬの呼び出しを待機する。
【０１４５】
当該ＵＲＬの呼出があると、つまり子ユーザ端末１１１が当該ＵＲＬに接続されると、次に、ＱＲコード５０４から抽出されるカード・シリアル番号を用いて、カード情報データベース１６を検索し、当該カード５００を配布した親ユーザ（会員）のシリアル番号（識別ＩＤ）、当該カード５００に付された広告デザインのシリアル番号（識別ＩＤ）、広告主のシリアル番号（識別ＩＤ）等を特定する（ステップＳ４２）。
【０１４６】
次に、当該店舗のシリアル番号及び子ユーザのメールアドレスを送信するよう要望するメッセージを含む画面情報を、ユーザ端末１１１に送信し、そのスクリーン２０４に表示させる（ステップＳ４３）。
【０１４７】
続いて、店舗のシリアル番号と子ユーザのメールアドレスとを受信したか否かを判断する（ステップＳ４４）。換言すれば、子ユーザ端末１１１から送られる店舗のシリアル番号と子ユーザのメールアドレスを待機する。受信すると、その店舗のシリアル番号を店舗情報データベース１７を用いて認証し、その店舗が当該店舗情報データベース１７に登録されている店舗であることを確認する。また、当該店舗シリアル番号と、先にＱＲコード５０４から抽出されたカード・シリアル番号とを用いて、親ユーザ（会員）の認証を行う（ステップＳ４５）。そして、その子ユーザのメールアドレスには、仮会員登録の承認を要望するメッセージと所定のＵＲＬ情報（仮会員登録承認用ＵＲＬ情報）を送信する（ステップＳ４６）。なお、ステップＳ４５での判断の結果、その店舗のシリアル番号が店舗情報データベース１７に登録されていないものである場合や、正当な親ユーザ（会員）でない場合は、その後の処理を拒否するメッセージを子ユーザ端末１１１に表示する。
【０１４８】
次に、子ユーザ端末１１１のスクリーン２０４上に表示された仮会員登録承認用のＵＲＬが、子ユーザによってクリックされたと判断する（ステップＳ４７）と、仮会員登録が子ユーザによって承認されたことになるから、当該子ユーザのメールアドレスを、仮登録会員の個人情報として、会員情報データベース１５に保存する（ステップＳ４８）。
【０１４９】
その後、子ユーザによって持参された当該名刺状カード５００を配布した親ユーザのアフィリエイト件数の現在値に「＋１」を加算する（ステップＳ４９）。このアフィリエイト件数情報は、カード情報データベース１６の当該親ユーザの該当するフィールドに記録されている。当該親ユーザのアフィリエイト件数が所定数値に到達すると、当該広告会社から当該親ユーザに対して所定額のリベート（協力金）が支払われる。
【０１５０】
その後、電子クーポン用の情報（通常は画像情報）をクーポン情報データベース２０から読み出して、子ユーザ端末１１１に送信し、そのスクリーン２０４に表示させる（ステップＳ５０）。これにより、電子クーポンとして使用される画像または文字群がスクリーン２０４上に表示されるので、当該店舗のスタッフにその電子クーポンを提示すれば、当該子ユーザはその電子クーポンで指定された特典の供与を受けることができる。
【０１５１】
その後、受信した子ユーザのメールアドレスに、本登録を勧める電子メールを送信して、特典供与処理を終了する（ステップＳ５１）。これにより、上記広告付き名刺状カード提供サービスの会員を増加させることができるので、当該サービスを実施する広告会社にも利点がある。
【０１５２】
（第１実施形態に係る広告システム・広告方法で得られる効果）
本発明の第１実施形態に係る広告システムは、上述した構成を有すると共に、上述した動作を行うものである、換言すれば、本発明の第１実施形態に係る広告方法は、上述した内容を有するものであって、まず、広告付き名刺状カード提供サービスの会員である親ユーザからの依頼に応じて、選択された広告デザインと固有のカード・シリアル番号（カード識別コード）を付した名刺状カード５００を所定枚数、作製して送付する。その親ユーザが、適当な会合に参加して知人等にその名刺状カード５００を配布すると、その名刺状カード５００を受け取った子ユーザは、それに付された広告（すなわち、広告情報領域５０４に記載された広告情報や特典情報領域５０２に記載された特典情報）を見るので、当該広告に表示された広告主のブランドや商品・サービスと、その商品・サービスの購入時に得られる特典を、その子ユーザに確実に知らせることができる。当該親ユーザから同じ広告デザインが付されたカード５００を受け取った多数の子ユーザのうち、当該広告に表示された広告主のブランドや商品・サービスに関心を持った子ユーザや、その商品・サービスを購入してその特典を得たいと考えた子ユーザは、店舗シリアル番号を知るために、当該広告に関連する店舗に来所してその商品・サービスを購入する可能性が高くなる。
【０１５３】
よって、自社の広告の入った広告付きの名刺状カード５００を使用することによって、当該カード５００の作製及び送付に要する低いコストでいっそう高い広告効果が期待できると共に、当該カード５００を受け取った人を広告に関連する商品ないしサービスを購入するように勧誘する効果も期待できる。
【０１５４】
また、上記名刺状カード５００の各々には、会員の希望する個人情報（会員の氏名、メールアドレス等）、当該会員が選択したデザインの広告、及び当該広告に関連する所定の特典情報を表示すると共に、ＱＲコード５０３を用いて当該カード５００に固有のカード識別情報を表示している。当該カード識別情報には、当該カード５００に固有のカード・シリアル番号と、所定のサイト情報（ＵＲＬ情報）とを包含させているため、子ユーザの端末（例えばデジタルカメラ付き携帯電話機）１１１のカメラでカード５００上のＱＲコード５０３をキャプチャするだけで、当該端末１１１を当該広告会社の所定のサイト（このサイトはサーバ装置１０が管理している）に自動的に接続させることができると共に、ＱＲコード５０３から抽出されたカード・シリアル番号を用いてカード情報データベース１６を検索することにより、当該カードを配布した会員（親ユーザ）を容易に知ることができる。
【０１５５】
よって、配布した名刺状カード５００によって広告主の商品またはサービスの売上増加につながると、そのカード５００を配布した人（親ユーザ）に広告主からアフィリエイト報酬を支払うようにすることができる。
【０１５６】
さらに、当該子ユーザの端末１１１の上記サイトへの接続後に、当該子ユーザの端末１１１に表示される、当該店舗のシリアル番号と当該子ユーザのメールアドレスとを入力して送信するよう依頼するメッセージに応答して、当該端末１１１から当該子ユーザの連絡先情報（つまりメールアドレス）と関連店舗の店舗識別コード（つまり店舗シリアル番号）がサーバ装置１０に送信されると、その店舗識別コード（店舗シリアル番号）を用いて当該広告に関連する店舗か否かを容易に認証すると共に、仮登録会員となる子ユーザの連絡先情報を併せて入手することができる。そして、当該子ユーザから仮登録会員としての承認も得ることができる。
【０１５７】
よって、名刺状カード５００の配布を通じて会員（親ユーザ）の数を増やすことができる。特に、親ユーザからカード５００を受け取った子ユーザがほぼ自動的に親ユーザとなるので、カード５００を配布する親ユーザ（会員）の数が無限に増えていく可能性があり、極めて高い広告効果が期待できる。
【０１５８】
さらに、サーバ装置１０のアクセス状況とカード情報データベース１６の内容を調査することにより、会員（親ユーザ）による名刺状カード５００の発行状況と、子ユーザによる当該カード５００に付されたカードシリアル番号（カード識別情報）の利用状況とを、容易に監視することができる。
【０１５９】
よって、親ユーザ及び子ユーザの全動向をリアルタイムでトラッキング（追跡）可能である。
【０１６０】
上記説明から明らかなように、本発明の第１実施形態に係る広告システム及び広告方法では、子ユーザの端末１１１を用いて行われる、ＱＲコード５０３のキャプチャから電子クーポンの表示までの一連の動作は、対話形式で容易かつ迅速に行われる、という利点もある。
【０１６１】
なお、上記第１実施形態では、カード５００の各々に固有のカード識別情報（本実施形態ではカード・シリアル番号）を付すためにＱＲコード５０３を利用しているが、本発明はこれに限定されるものではない。ＱＲコード５０３と同様の機能を実現できるものであれば、公知のバーコード等の他の任意のコードを利用してもよい。これは、以下に述べる他の実施形態についても同様である。
【０１６２】
（第２実施形態）
図１３は、本発明の第２実施形態に係る広告システムの概略構成を示す概念図であり、図１４は同広告システムの全体動作を示す図６と同様の図である。
【０１６３】
図１３に示すように、第２実施形態に係る広告システムは、子ユーザが実店舗ではなく、インターネット上のショッピングサイト（ネットショップ）で商品・サービスの購入と特典の付与を受ける点を除いて、図１の第１実施形態の広告システムとほぼ同一である。そこで、構成が同一の部分については、同一要素に同一符号を付してその説明を省略する。なお、ここで使用されるショッピングサイト（ネットショップ）としては、通常、広告主あるいはその提携先のものが考えられるが、それ以外のものでよいことは言うまでもない。
【０１６４】
第２実施形態では、名刺状カード５００上のＱＲコード５０３から抽出されるカード識別情報の内容が、第１実施形態とは異なる。すなわち、第１実施形態では、ＱＲコード５０３から抽出されるカード識別情報は、当該カード５００に固有の「カード・シリアル番号」と、広告会社の所定サイトを示す「ＵＲＬ情報」とであるが、第２実施形態では、当該カード５００に固有の「カード・シリアル番号」と、ネットショップのサイトを示す「ＵＲＬ情報」に加えて、当該ネットショップの店舗シリアル番号（店舗識別コード）になっている。その結果、子ユーザ端末１１１でＱＲコード５０３をキャプチャすると、子ユーザ端末１１１は自動的に当該ネットショップの所定サイトに自動的に接続される。また、ＱＲコード５０３から、当該カード５００のカード・シリアル番号と、当該ネットショップの店舗シリアル番号とが抽出される。このため、子ユーザは、子ユーザ端末１１１を用いて当該ネットショップの店舗シリアル番号を入力して送信することが不要である。なお、子ユーザのメールアドレス（連絡先情報）は、当該ネットショップの購入フォームやプレゼント・フォーム等に必要事項を入力する際に他の事項と一緒に入力してもらうことにより、入手する。
【０１６５】
まず、図１４のステップＳ１〜Ｓ７の動作は、第１実施形態の場合と同じである。
【０１６６】
次に、ユーザから名刺状カード５００を受け取った子ユーザ（親ユーザ自身でもよいが、ここでは子ユーザとして説明する）は、カード５００上に記載された説明あるいは当該ウェブサイトに表示される案内に従って、名刺状カード５００上のＱＲコード５０４をキャプチャする（ステップＳ９）。すると、キャプチャしたＱＲコード５０３から当該ネットショップのウェブサイトの所定のＵＲＬ情報が自動的に抽出され、さらに、子ユーザ端末１１１のデータ通信機能を利用して、抽出されたそのＵＲＬに子ユーザ端末１１１が自動的に接続される（ステップＳ１０）。これは第１実施形態の場合と同じである。なお、第
実施形態では、第１実施形態の「子ユーザが関連店舗を訪問する」というステップＳ８は不要である。
【０１６７】
ＱＲコード５０３から抽出されるＵＲＬ情報は、ネットショップの所定サイトの場所（ウェブサーバーのアドレス）を示す狭義のＵＲＬと、カード５００のカード・シリアル番号に対応する情報とを組み合わせて設定されるため、子ユーザ端末１１１が当該ＵＲＬに接続されると同時に、カード５００のカード・シリアル番号に対応する一連の数値も当該ＵＲＬに転送される。つまり、子ユーザ端末１１１が自動的に接続されたネットショップの入口画面（ウェブページ）を示す情報中に、カード５００のカード・シリアル番号を示す情報も含まれている。
【０１６８】
そこで、キャプチャされたＱＲコード５０４から抽出されるカード・シリアル番号から、第１実施形態の場合と同様に、当該カード５００を配布した親ユーザのシリアル番号が特定される（ステップＳ１１）ので、それを用いてネットショップ用サーバ装置５０とサーバ装置１０との間でデータ通信することにより、サーバ装置１０は当該カード５００を配布した親ユーザ（会員）を特定・認識する。また、当該ＱＲコード５０３からは、当該ネットショップのシリアル番号（店舗シリアル番号）も併せて抽出されるので、店舗シリアル番号も特定される（ステップＳ１２ａ）。サーバ装置１０は、この店舗シリアル番号を用いてサーバ装置５０とデータ通信することにより、当該カード５００に従ってアクセスされたネットショップの認証を行う。
【０１６９】
その後、ネットショップ用サーバ装置５０により、当該ショッピングサイトの所定の購入フォームが子ユーザ端末１１１のスクリーン２０４に表示されるので（ステップＳ１３ａ）、当該子ユーザは、購入を希望する商品ないしサービスを特定して当該購入フォーム中に必要事項を入力し、送信する（ステップＳ１４ａ）。すると、サーバ装置５０により、「購入ありがとう」画面が子ユーザ端末１１１のスクリーン２０４に表示されるが、その際に、当該名刺状カード提供サービスの会員としての仮登録を承認してほしい旨のメッセージ（図１０（ｂ）を参照）も一緒に表示される（ステップＳ１５ａ）。
【０１７０】
当該子ユーザが、仮会員登録を承認して、「購入ありがとう」画面に表示された「購入」ボタンをポインタで押す（クリックする）と（ステップＳ１６ａ）、ネットショップ用サーバ装置５０は、当該「購入ありがとう」画面中に埋め込まれた識別コード、例えばプログラムまたはＨＴＭＬ（Hyper Text Markup Language）タグを読み取って、当該商品またはサービスの購入が名刺状カード５００に基づくものであることを認識する（ステップＳ１７ａ）。当該「購入ありがとう」画面中への識別コードの埋込は、例えば、当該ネットショップの所定サイトを示す前記ＵＲＬを引き継ぐことによって実現可能である。サーバ装置１０は、当該子ユーザからの仮登録の承認情報と共に、そのメールアドレス等の個人情報を、サーバ装置５０から受領し、会員情報データベース１５に格納する。
【０１７１】
その後、当該子ユーザは、当該カード５００上に表示されたクーポン情報に対応する特典を受領する。その際には、サーバ装置１０は、ＱＲコード５０３から抽出した当該カード５００のカード・シリアル番号に基づいてカード情報データベース１６を検索することにより、当該カード５００の特典情報領域５０２に記載された特典に対応するクーポン情報を読み出し、ネットショップ用サーバ装置５０に送信する。サーバ装置５０は、こうして送信されたクーポン情報に基づき、当該子ユーザに対して所定の特典を付与する。すなわち、当該子ユーザは、ネットショップのウェブサイト５０上でショッピングを行う際に、直ちに、クーポン情報で指定された特典（例えば、値引き、景品の送付、ノベルティの送付等）を受領する（ステップＳ１８ａ）。
【０１７２】
最後に、カード５００の配布によって当該子ユーザを当該ネットショップに勧誘した親ユーザ（会員）に対して、所定のアフィリエイト報酬が支払われる。換言すれば、カード情報データベース１６中に設定されている当該親ユーザのアフィリエイト件数欄の現在値に「＋１」が加算される（ステップＳ１９ａ）。
【０１７３】
このように、本発明の第２実施形態に係る広告システム及びその下で実行される広告方法は、実店舗に代えてネットショップが使用される点以外は、上述した第１実施形態に係る広告システム及び広告方法とほぼ同じであるから、上述した第１実施形態に係る広告システム及び広告方法と同様の効果が得られる。
【０１７４】
なお、上述した第２実施形態では、「購入ありがとう」画面に仮会員登録の承認を要望するメッセージを表示しているが、これに限定されるものではなく、任意の画面（例えば「プレゼント贈呈」画面）に表示してもよい。
【０１７５】
（第３実施形態）
上述した第１及び第２の実施形態では、会員（親ユーザ）が申し込んだ名刺状カード５００の作製及び送付が広告企業側で行われている。しかし、本発明の第３実施形態に係る広告システム及び広告方法では、それとは異なり、会員（親ユーザ）が申し込んだ名刺状カード５００を、被写体画像印刷装置を用いて当該会員自身が印刷（作製）できるようにしたものである。
【０１７６】
（第３実施形態に係る広告システムで使用される被写体画像印刷装置の構成）
図１５は、本発明の第３実施形態に係る広告システムに使用される被写体画像印刷装置の外観側面図、図１６はその被写体画像印刷装置の内部構成を示す機能ブロック図である。
【０１７７】
図１５及び図１６に示された被写体画像印刷装置３００は、「プリント倶楽部（略称：プリクラ）」と通称されている画像プリント供給装置と同じ構成を有するものであって、赤外専通信機能とデータ通信機能が組み込まれており、被写体の画像とフレーム画像（タイトル情報）を合成してプリント供給することができるものである。第３実施形態に係る広告システムでは、この被写体画像印刷装置３００を広告付き名刺状カード５００の印刷装置として使用し、名刺状カード５００を申し込んだ会員（親ユーザ）自身が印刷（作製）できるようにしている。
【０１７８】
被写体画像印刷装置３００は、剛性部材で構成された本体３２０の内部に、ランプ３０１、カウンター３０２、ＩＣカード３０３、入力手段３０４、課金手段３０５、通信手段３０６、中継ボード３０７、制御手段３０８、通信制御手段３０９、記憶手段３１０、プリンタ３１１、カメラ３１２及び３１３、そしてモニター３１４及び３１５を備えている。
【０１７９】
ランプ３０１は、撮影時に被写体に所定の光を照射するために使用される。カウンター３０２は、プリントした枚数を計数するために使用される。ＩＣカード３０３は、当該装置３００に所望の機能を追加するためのものである。
【０１８０】
入力手段３０４は、撮影時にフレーム情報等の必要な情報を入力するためのもので、具体的には数字ボタン、入力ペン等で構成される。
【０１８１】
課金手段３０５は、当該装置３００の所定箇所に所定金額の硬貨が投入されたかを監視する。
【０１８２】
通信手段３０６は、上記第１実施形態及び第２実施形態で使用されたサーバ装置１０との間で有線または無線によるデータ通信を可能とするものである。これにより、被写体画像印刷装置３００と、第１及び第２の実施形態で説明したサーバ装置１０との間で、データ通信ができるようになっている。
【０１８３】
中継ボード３０７は、当該装置３００の内部において各機能部品を相互接続するために使用されている。
【０１８４】
制御手段３０８は、当該装置３００の全体動作を制御するものである。
【０１８５】
通信制御手段３０９は、ＩｒＤＡ、Ｂｌｕｅｔｏｏｔｈ等の赤外線や無線によるデータ通信機能を使用して、子ユーザ端末１１１またはその他の外部端末３１６との間で各種情報の転送を可能とするものである。
【０１８６】
記憶手段３１０は、当該装置３００の内部で生成された、あるいは外部から送られてきた各種情報を記憶する。
【０１８７】
プリンタ３１１は、生成された画像情報を所定フォーマットで印刷するためのものである。
【０１８８】
２台のカメラ３１２及び３１３は、図１５に示すように、本体３２０の異なる位置に設置されており、被写体を異なるアングルで撮影するのに使用される。
【０１８９】
２台のモニター３１４及び３１５は、本体３２０の前面パネルに設けられており、被写体とその撮影アングル、合成されるフレーム情報等を確認するために、またメニューやメッセージ等を表示するために使用される。
【０１９０】
撮影した被写体の画像とフレーム情報とを含む画像情報は、個人専用のアルバムとして記憶手段３１０に保存可能であり、必要に応じて閲覧することができる。
【０１９１】
図１５及び図１６の構成の詳細は、特開２００１−３１３９１３号公報（特許第３３２４０３６号）に詳細に開示されているので、これ以上の説明は省略する。
【０１９２】
（第３実施形態に係る広告システムの動作）
次に、第３実施形態に係る広告システムの動作について、図１７〜図２０を参照しながら順に説明する。これらの動作は、子ユーザ端末１１１上で動作する適当なアプリケーション・プログラムを用いれば容易に実現することができるから、それに関する説明は省略する。
【０１９３】
図１７及び図１８は、子ユーザ端末１１１の外部の「画像アルバム・サービス」を提供するサイトに保存されているいわゆるプリクラ画像（「アルバム」になっていて、子ユーザにより自由に閲覧・消去等が可能である）と、広告主のロゴとを組み合わせて、広告デザインを生成し、その広告デザインを用いて名刺状カード５００を作成し、被写体画像印刷装置３００で印刷する際のプロセスを示す画面の遷移図である。なお、「プリクラ画像」に代えて、他の画像（例えば、子ユーザ端末１１１等のデジタルカメラで撮影した画像）を使用してもよいことは言うまでもない。
【０１９４】
まず、図１７に示すように、子ユーザ端末１１１で「画像アルバム・サービス」を提供する前記サイトにアクセスして、ログイン画面７０１を開き、自己の識別コード（ＩＤ）とパスワード（ＰＷ）を入力して、自己のアルバムトップ画面７０２を開く。その後、アルバムトップ画面７０２に表示された「○○カードを作る」というメニューを適当なポインタでクリックし、カード用画像選択画面７０３を開く。次に、カード用画像選択画面７０３に一覧されたプリクラ画像群の中から、名刺状カード５００に使用したいプリクラ画像を選択し、「次へ」ボタンをポインタでクリックする。すると、カード用画像選択終了告知画面７０４が開くので、選択された画像を確認してから、「閉じる」ボタンをクリックする。これで、画像の選択は終了である。
【０１９５】
続いて、被写体画像印刷装置３００の一方のモニター（例えばモニター３１４）に表示されたタッチパネル形式のスクリーン上で、図１８に示す操作を行う。これらの動作は、被写体画像印刷装置３００内に組み込まれた制御プログラムを用いれば、あるいは適当なアプリケーション・プログラムを追加することにより、容易に実現することができるから、それに関する説明は省略する。
【０１９６】
まず、モニター３１４のスクリーンを操作して、表示されている印刷メニュー（図示せず）からログイン画面７１１を開き、自己の識別コード（ＩＤ）とパスワード（ＰＷ）を入力して、「次へ」ボタンに指を触れる。すると、被写体画像印刷装置３００は、「画像アルバム・サービス」を提供する前記サイトとの間で所定のデータ通信を行い、その子ユーザによる印刷予約が行われているかを調べて結果を表示する。ここでは、図１７に示した操作で印刷が予約されているので、印刷予約告知画面７１２が表示される。
【０１９７】
予約した名刺上カード５００を印刷するので、「はい」ボタンに指を触れると、広告主ロゴ選択画面Ａ７１３が表示される。その画面上で「特典で選択」または「デザインで選択」のいずれかを選び、「次へ」ボタンに指を触れると、広告主ロゴ選択画面Ｂ７１４が表示され、複数の広告主ロゴが一覧される。その画面上でいずれかの広告主ロゴを選択してから「次へ」ボタンに指を触れると、広告主ロゴ選択終了画面７１５が表示される。
【０１９８】
そこで、選択した広告主ロゴであるか否かを確認してから、「確認」ボタンに指を触れると、印刷中である旨を示す印刷告知画面７１６が表示される。こうして、選択されたプリクラ画像と広告主ロゴとを組み合わせた広告デザインが生成され、カード５００の裏面の広告情報領域５０４に印刷される。カード５００の表面の個人情報領域５０１には、予約した会員（親ユーザ）が予め設定している個人情報が印刷される。ＱＲコード５０３も、当該会員に適合させて印刷される。この印刷は、被写体画像印刷装置３００に内蔵されているプリンタ３１１を使用して実行される。なお、カード５００の印刷枚数は、広告企業が印刷を行う場合と同様に、所定値に限定される。
【０１９９】
最後に、所定枚数のカード５００の印刷が終了したことを確認してから、「閉じる」ボタンをクリックする。これで、印刷告知画面７１６が閉じられる。
【０２００】
こうして作製されたカード５００は、上述した第１または第２実施形態と同様にして、子ユーザに配布され、店舗等で使用される。
【０２０１】
（第３実施形態に係る広告システム・広告方法で得られる効果）
以上述べたように、本発明の第３実施形態の広告システム及びそれで実行される広告方法では、上述した第１実施形態に係る広告システム及び広告方法と同様の効果に加えて、会員（親ユーザ）は、図１７に示すプロセスで名刺状カード５００を予約した後、当該予約に対応して当該広告会社から発行されるＩＤとパスワードを用いて、被写体画像印刷装置３００にログインし、図１８に示すプロセスを実行することにより、迅速に、自己の希望するカード５００を当該会員自身が印刷して入手することができる、という効果がある。また、当該広告会社には、カード５００の作製及び送付作業を省略することができる、という効果もある。
【０２０２】
（第４実施形態）
図１９及び図２０は、本発明の第４実施形態に係る広告方法を示しており、上記第３実施形態で使用した被写体画像印刷装置３００のモニター３１４上で、広告付き名刺状カード５００を印刷予約をする場合の処理フローを示す。
【０２０３】
まず、図１９に示すように、最初に表示されるトップ画面７２１には、被写体画像印刷装置３００の各種機能を選択して利用できるようにトップメニューが表示されるが、その中に、「○○カードも作る」という文字群を表示させている。会員（親ユーザ）は、この文字群を指で選択してから「はい」ボタンに指を触れると、モニター３１４には画像選択画面７２２が表示される。
【０２０４】
この画面７２２では、カード５００用に選択される画像が順に表示される。表示されている画像が好ましくない場合は、「いいえ」ボタンに指を触れ、他の画像を表示させることができる。好ましい画像が表示されると、「はい」ボタンに指を触れる。これにより、次のログイン画面７２３が表示される。
【０２０５】
ログイン画面７２３では、入力手段３０４を用いて子ユーザ自身のＩＤとパスワードを入力してから、「次へ」ボタンに指を触れる。すると、カード作成予約完了告知画面７２４が表示される。この画面７２４では、カード５００の予約が完了したこと、カード５００に記載されるべき個人情報は、親ユーザ端末１０１から入力する必要があること、そして、電子メールが子ユーザのメールアドレスに送信されたこと、が表示される。
【０２０６】
印刷予約をした会員（親ユーザ）が自己の親ユーザ端末１０１で電子メールを受信し、それを開封すると、図２０の必要事項入力依頼画面７３１が表示される。この画面７３１で「次へ」ボタンをポインタでクリックすると、ログイン画面７３２が表示されるので、会員（親ユーザ）自身のＩＤとパスワードを入力する。「次へ」ボタンをクリックすると、必要事項入力画面７３３が表示されるので、広告付き名刺状カード５００に記載する事項と、その送付先を入力する。
【０２０７】
必要事項入力画面７３３で「次へ」ボタンをクリックすると、広告主ロゴ選択画面Ａ７３４が表示される。広告主ロゴ選択画面Ａ７３４では、「特典で選択」と「デザインで選択」の二つの選択肢があるので、いずれか一方をポインタでクリックする。すると、「特典で選択」が選択された場合は、「特典」の内容を検索キーとして広告主ロゴが検索され、広告主ロゴ選択画面Ｂ７３５として表示される。「デザインで選択」が選択された場合は、「デザイン」の内容を検索キーとして広告主ロゴが検索されて、広告主ロゴ選択画面Ｂ７３５として表示される。そこで、好みの広告主ロゴを選び、「次へ」ボタンをクリックすると、広告主ロゴ選択終了告知画面７３６が表示される。選択した広告主ロゴに間違いがないことを確認後、「確認」ボタンをクリックすると、カード作成依頼完了告知画面７３７が表示される。「閉じる」ボタンをクリックすると、その画面７３７が閉じられる。
【０２０８】
以上のようにして、被写体画像印刷装置３００と親ユーザ端末１０１を利用して、カード５００の予約が被写体画像印刷装置３００で実行可能となる。
【０２０９】
このように、本発明の第４実施形態に係る広告方法では、上述した第１実施形態に係る広告システム及び広告方法と同様の効果に加えて、会員（親ユーザ）が多くの遊技場に設置されている被写体画像印刷装置３００（いわゆるプリクラ装置）でカード作製の申込をすることができる、という効果がある。また、当該広告会社は、カード５００の作製及び送付作業を省略することができる、という効果もある。
【０２１０】
（第５実施形態）
図２１は、本発明の第５実施形態に係る広告方法を示すフローチャートである。この広告方法は、非会員の人が、上記第３実施形態で使用した被写体画像印刷装置３００を使用して、広告付き名刺状カード５００の申込及び印刷を行うものである。
【０２１１】
まず、非会員の人が、自己の端末を使って所定のサイトにアクセスして、所定の会員登録用アプリケーション・プログラムをダウンロードし、同端末にインストールする（ステップＳ６１）。次に、インストールした会員登録用アプリケーション・プログラムを起動すると、同端末は名刺状カード提供サイトの所定のＵＲＬ（サーバ装置１０）に自動的に接続される（ステップＳ６２）。すると、図１１に示すような会員登録用画面が表示されるので、同端末上で必要な個人情報を入力する。これで会員登録が可能となる（ステップＳ６３）。以後、この人は会員（新規会員）となる。
【０２１２】
その後、この新規会員は、被写体画像印刷装置３００の近傍に行き、赤外線通信によって自己の端末（親ユーザ端末）１０１をこの被写体画像印刷装置３００に接続する（ステップＳ６４）。すると、被写体画像印刷装置３００にインストールされたアプリケーション・プログラムにより、親ユーザ端末１０１内のスクラッチ・パッドに記録されているＩＤとＰＷが被写体画像印刷装置３００に取り込まれる（ステップＳ６５）。
【０２１３】
次に、被写体画像印刷装置３００の記憶手段３１０に予め保存されている広告主ロゴの中から、所望のものを選択する（ステップＳ６６）。
【０２１４】
次に、親ユーザ端末１０１から被写体画像印刷装置３００に取り込まれた当該会員（親ユーザ）のＩＤ及びＰＷを、会員登録時に広告付き名刺状カード提供サイト（サーバ装置１０）に記録されたＩＤ及びＰＷと比較し、当該会員（親ユーザ）が正規の会員であるか否かの認証を行う（ステップＳ６７）。そして、正規の会員であると確認できたなら、選択された広告主ロゴのＩＤをカード情報データベース１６に記録する（ステップＳ６８）。その後、被写体画像印刷装置３００に保存されている画像（いわゆるプリクラ画像）と、選択された広告主ロゴとを組み合わせ、広告デザインを生成する（ステップＳ６９）。
【０２１５】
最後に、図１８に示したのと同様のプロセスで、生成された広告デザインと、カード５００に表示すべき個人情報と、対応する特典情報を組み合わせて、被写体画像印刷装置３００でカード５００を印刷する（ステップＳ７０）。
【０２１６】
以上のようにして、被写体画像印刷装置３００と子ユーザ端末１１１を利用して、カード５００の予約が被写体画像印刷装置３００で実行可能となる。
【０２１７】
このように、本発明の第５実施形態に係る広告方法では、上述した第１実施形態に係る広告システム及び広告方法と同様の効果に加えて、多くの遊技場に設置されている被写体画像印刷装置３００（いわゆるプリクラ装置）でカード作製の申込が可能である、という効果がある。また、当該広告会社は、カード５００の作製及び送付作業を省略することができる、という効果もある。
【０２１８】
（第６実施形態）
図２３は、本発明の第６実施形態に係る広告方法を示すフローチャートである。この広告方法は、広告主自身が当該広告会社のウェブサイトにアクセスして、広告申込から広告用画像及び文言のアップロードすることにより、名刺状カード５００に記載される広告の申込をオンラインでできるようにしたものである。
【０２１９】
まず、広告主の担当者が自己の端末（パソコン、携帯電話機等）を利用して、当該広告会社のウェブサイトにアクセスし、トップ画面（広告申込画面）８０１を開く。そして、「ＯＫ」ボタンを適当なポインタでクリックすると、規約・掲載可否条件確認用画面８０２が表示される。確認後、「ＯＫ」ボタンをクリックすると、企業情報登録・広告デザイン画像アップロード画面８０３が表示される。そこで、画面８０３上の説明に従って、自社の企業情報と広告デザイン画像を所定サイトに向けてアップロードする。
【０２２０】
その後、「ＯＫ」ボタンをクリックすると、広告費用見積画面８０４が表示されるので、必要であれば見積もりを依頼してから「ＯＫ」ボタンをクリックする。すると、仮申込お礼画面８０５が表示される。こうして仮申込が完了する。
【０２２１】
その後、当該広告会社は、申し込んできた企業の与信審査と、アップロードされた広告デザイン画像が掲載可能かどうかの判断とを行う（ステップ８０６）。その結果、与信審査と広告デザイン画像の少なくとも一方が不可と判断されると、正式申込を拒否する（ステップ８０７）。与信審査と広告デザイン画像の双方が可と判断されると、正式申込が可能である旨の通知と共に、ＩＤとＰＷとＵＲＬを電子メールで当該広告主の担当者あて送信する（ステップ８０８）。
【０２２２】
そこで、上記メールを受領した当該広告主の担当者が、送信されてきたＵＲＬをクリックすると、ログイン画面８０９が表示される。送信されてきたＩＤとＰＷを入力して「ＯＫ」ボタンをクリックすると、正式申込用広告デザイン画像・文言アップロード画面８０１が表示されるので、画面８１０上の説明に従って、自社の企業情報と広告デザイン画像を所定サイトに向けてアップロードする。なお、先にアップロードされた広告デザイン画像を使用する場合は、その旨を明記すれば、当該広告デザイン画像については、アップロードは不要である。
【０２２３】
アップロード完了後、「ＯＫ」ボタンをクリックすると、名刺状カード作製枚数設定画面８１１が表示されるので、画面８１１上の説明に従って、名刺状カード５００の総枚数を設定し、「ＯＫ」ボタンをクリックする。すると、正式申込お礼画面８１２が表示される。これで、広告の正式申込が完了する。
【０２２４】
その後、当該広告企業の担当者は、入力された企業情報と、アップロードされた広告デザイン画像及び文言を広告情報データベース１９に記録する。こうして記録された各種情報は、図２４に示すような企業・画像・不可画像一覧画面８２１から検索できるようになっている。例えば、画面８２１において、「企業一覧」をクリックすると、企業名と企業情報を一覧表示する企業一覧画面８２２が表示される。画面８２２で所望の企業を選択し、「ＯＫ」ボタンをクリックすると、選択した企業がアップロードした広告デザイン用画像を一覧表示する掲載画像一覧画面８２３が表示される。これらの画像の中で掲載不可のものがあれば、それを選択して「ＯＫ」ボタンをクリックすると、画面８２３からは消去され、不可画像一覧画面８２４に表示されるようになる。当該広告企業の担当者は、このようにして、企業情報と広告デザイン画像及び文言を効率的に管理することができる。
【０２２５】
本発明の第６実施形態に係る広告方法では、上述した第１実施形態に係る広告システム及び広告方法と同様の効果に加えて、当該広告企業を訪問して面談をしなくても、広告主自身がオンラインで広告申込を行うことができる、という効果がある。また、当該広告企業には、広告に関する情報の管理が容易である、という効果がある。
【０２２６】
（変形例）
上述した第１〜第６の実施形態は本発明を具体化した例を示すものである。したがって、本発明はこれら実施形態に限定されるものではなく、本発明の趣旨を外れることなく種々の変形が可能であることは言うまでもない。
【０２２７】
例えば、上述した実施形態では、広告システム用サーバ装置１０に、会員情報データベース１５、カード情報データベース１６、店舗情報データベース１７、ＱＲコード情報データベース１８、広告情報データベース１９、及びクーポン情報データベース２０を備えているが、このようにデータの種類に応じて複数のデータベースに分けて構成しなくてもよい。すなわち、単一のデータベース中に、会員情報、カード情報、店舗情報、ＱＲコード情報、広告情報、クーポン情報等の必要な情報を包含させるように構成してもよい。
【０２２８】
また、上述した実施形態で使用される名刺状カードは、無料で会員（親ユーザ）に提供されるものであり、会員は当該カードに付される広告デザインの選択は可能であっても、それを自分の嗜好に合わせてカスタマイズすることはできない。しかし、本発明はこれに限定されるものではない。例えば、自分専用にカスタマイズされた広告デザインで作製することも可能である。この場合は、当該カードの提供を有料で行うこともできる。
【図面の簡単な説明】
【０２２９】
【図１】本発明の第１実施形態に係る広告システムの概略構成を示す概念図である。
【図２】本発明の第１実施形態に係る広告システムにおける広告主、名刺状カード発行サービス提供会社、親ユーザ、子ユーザ、そして店舗スタッフの動作を示すフローチャートである。
【図３】本発明の第１実施形態に係る広告システムで使用される名刺状カードの一例を示す概念図である。
【図４】本発明の第１実施形態に係る広告システムの詳細構成を示す機能ブロック図である。
【図５】本発明の第１実施形態に係る広告システムに使用されている広告システム用サーバ装置の内部構成を示す機能ブロック図である。
【図６】本発明の第１実施形態に係る広告システムの動作と、親ユーザ及び子ユーザの動作を含む業務フローの全体を示すフローチャートである。
【図７】本発明の第１実施形態に係る広告システムの業務フローにおける名刺状カードの作製及び送付の処理フローを示すフローチャートである。
【図８】本発明の第１実施形態に係る広告システムの業務フローにおける特典付与の処理フローを示すフローチャートである。
【図９】本発明の第１実施形態に係る広告システムで使用可能な携帯電話機の構成の一例を示す説明図である。
【図１０】携帯電話機のスクリーンに表示されるメッセージの例を示す説明図である。
【図１１】会員登録する際に行われるプロセスの一例を示す画面遷移図である。
【図１２】広告付き名刺状カードを申し込む際に行われるプロセスの一例を示す画面遷移図である。
【図１３】本発明の第２実施形態に係る広告システムの概略構成を示す概念図である。
【図１４】本発明の第２実施形態に係る広告システムの動作と、親ユーザ及び子ユーザの動作を含む業務フローの全体を示すフローチャートである。
【図１５】本発明の第３実施形態に係る広告システムに使用される被写体画像印刷装置の外観側面図である。
【図１６】本発明の第３実施形態に係る広告システムに使用される被写体画像印刷装置の内部構成を示す機能ブロック図である。
【図１７】本発明の第３実施形態に係る広告方法を示す画面遷移図で、子ユーザ端末から広告付き名刺状カードの印刷予約をするプロセスを示す。
【図１８】本発明の第３実施形態に係る広告方法を示す画面遷移図で、予約された広告付き名刺状カードを被写体画像印刷装置で印刷するプロセスを示す。
【図１９】本発明の第４実施形態に係る広告方法を示す画面遷移図であって、被写体画像印刷装置のモニター上で広告付き名刺状カードに使用する画像を選択・予約するプロセスを示す。
【図２０】本発明の第４実施形態に係る広告方法を示す画面遷移図であって、選択・予約された画像を用いて広告付き名刺状カードの申込を親ユーザ端末から行うプロセスを示す。
【図２１】本発明の第５実施形態に係る広告方法を示すフローチャートである。
【図２２】本発明の第１実施形態に係る広告方法で使用されるカード情報データベースのフィールドの一例を示す概念図である。
【図２３】本発明の第６実施形態に係る広告方法を示す画面遷移図であって、広告主自身がオンライン広告申込から広告用画像及び文言のアップロードまでの処理を実行できるようにしたものである。
【図２４】本発明の第６実施形態に係る広告方法における企業・画像・不可画像一覧画面を示す概念図である。
【図２５】本発明の第１実施形態に係る広告方法における広告会社の提携先あるいはリンク先の企業のウェブサイトの画面を示す概念図である。
【符号の説明】
【０２３０】
１０  広告システム用サーバ装置（広告会社ウェブサイト）
１０ａ  ユーザ登録・認証部
１０ｂ  電子メール制御部
１０ｃ  ウェブサイト制御部
１０ｄ  データベース制御部
１１  認証サーバ
１２  データベースサーバ
１３  メールサーバ
１４  ウェブサーバ
１５  会員情報データベース
１６  カード情報データベース
１７  店舗情報データベース
１８  ＱＲコード情報データベース
１９  広告情報データベース
２０  クーポン情報データベース
２１  ファイアウォール
３０  インターネット
４１、４２、４３  基地局
５０  ネットショップ用サーバ装置（ネットショップ・ウェブサイト）
１０１、１０２、１０３  親ユーザ端末
１１１、１１２  子ユーザ端末
２００  携帯電話機
２０１  本体
２０２  表示部
２０３  カメラレンズ
２０４  スクリーン
２０５  操作ボタン
２０６  ボタン状コントローラ
２０７  マイク
２０８  スピーカ
２０９  シャッタ
２１０  アンテナ
３００  被写体画像印刷装置
３０１  ランプ
３０２  カウンター
３０３  ＩＣカード
３０４  入力手段
３０５  課金手段
３０６  通信手段
３０７  中継ボード
３０８  制御手段
３０９  通信制御手段
３１０  記憶手段
３１１  プリンタ
３１２、３１３  カメラ
３１４、３１５  モニター
３２０  本体
５００  広告付き名刺状カード
５０１  個人情報表示
５０２  特典情報領域
５０３  ＱＲコード
５０４  広告情報領域
５０５  特典情報
【図１】
2007140667.tif 000003
【図２】
2007140667.tif 000004
【図３】
2007140667.tif 000005
【図４】
2007140667.tif 000006
【図５】
2007140667.tif 000007
【図６】
2007140667.tif 000008
【図７】
2007140667.tif 000009
【図８】
2007140667.tif 000010
【図９】
2007140667.tif 000011
【図１０】
2007140667.tif 000012
【図１１】
2007140667.tif 000013
【図１２】
2007140667.tif 000014
【図１３】
2007140667.tif 000015
【図１４】
2007140667.tif 000016
【図１５】
2007140667.tif 000017
【図１６】
2007140667.tif 000018
【図１７】
2007140667.tif 000019
【図１８】
2007140667.tif 000020
【図１９】
2007140667.tif 000021
【図２０】
2007140667.tif 000022
【図２１】
2007140667.tif 000023
【図２２】
2007140667.tif 000024
【図２３】
2007140667.tif 000025
【図２４】
2007140667.tif 000026
【図２５】
2007140667.tif 000027
【手続補正書】
【提出日】平成18年8月18日(2006.8.18)
【手続補正１】
【補正対象書類名】特許請求の範囲
【補正対象項目名】全文
【補正方法】変更
【補正の内容】
【特許請求の範囲】
【請求項１】
広告付き名刺状カード提供サービスの会員が親ユーザとなって広告付き名刺状カードを複数の人に配布し、前記親ユーザから前記名刺状カードを受け取った人が、それぞれ、子ユーザとして当該名刺状カードに付された広告に関連する店舗に出向くよう誘導する、前記子ユーザの子ユーザ端末がネットワークを介してアクセス可能なサーバ装置を用いた広告方法であって、
前記会員により前記名刺状カードの作成の申込があると、前記サーバ装置が、当該会員の選択に係る広告情報と、当該会員の選択に係る前記広告情報に関連する所定の特典情報と、前記名刺状カードの各々に付された固有のカード識別コードとを、当該会員の識別コードに関連づけて前記サーバ装置内のデータベースに保存すると共に、当該会員の希望する個人情報と、当該会員の選択に係る前記広告情報と、当該会員の選択に係る前記広告情報に関連する前記特典情報と、前記カード識別コードに所定のサイト情報を組み合わせてなる固有のカード識別情報とが、前記名刺状カードの各々に表示されるようにし、
前記名刺状カードのいずれかを受け取った前記子ユーザが、当該名刺状カードに表示された前記カード識別情報から抽出される前記サイト情報に対応するサイトに、前記子ユーザ端末でアクセスすると、前記サーバ装置が、当該カード識別情報から抽出される前記カード識別コードを用いて前記データベースを検索して、前記親ユーザとして当該名刺状カードを配布した前記会員を特定し、
前記サイト情報に対応する前記サイトにアクセスした前記子ユーザ端末に対して、前記サーバ装置が、店舗識別コードと当該子ユーザの連絡先情報とを当該子ユーザ端末を用いて送信するよう促し、
前記サイト情報に対応する前記サイトにアクセスした前記子ユーザ端末から店舗識別コードと当該子ユーザの連絡先情報とが送信されると、前記サーバ装置が、当該店舗識別コードを用いて店舗の認証を行うと共に、前記広告付き名刺状カード提供サービスの会員としての仮登録の承認を求める旨のメッセージを当該子ユーザ端末に表示させ、
前記サイト情報に対応する前記サイトにアクセスした前記子ユーザ端末から仮登録を承認する旨の情報を受信すると、前記サーバ装置が、前記データベースを検索して当該名刺状カードに付された前記特典情報に対応する電子クーポンを特定し、その電子クーポンを当該子ユーザ端末に表示させることを特徴とする広告方法。
【請求項２】
広告付き名刺状カード提供サービスの会員が親ユーザとなって広告付き名刺状カードを複数の人に配布し、前記親ユーザから前記名刺状カードを受け取った人が、それぞれ、子ユーザとして当該名刺状カードに付された広告に関連するネットショップのサイトにアクセスするよう誘導する、前記ネットショップのサイトとの間でデータ通信が可能なサーバ装置を用いた広告方法であって、
前記会員により前記名刺状カードの作成の申込があると、前記サーバ装置が、当該会員の選択に係る広告情報と、当該会員の選択に係る前記広告情報に関連する所定の特典情報と、前記名刺状カードの各々に付された固有のカード識別コードとを、当該会員の識別コードに関連づけて前記サーバ装置内のデータベースに保存すると共に、当該会員の希望する個人情報と、当該会員の選択に係る前記広告情報と、当該会員の選択に係る前記広告情報に関連する前記特典情報と、前記カード識別コードに前記ネットショップのサイト情報及び前記ネットショップの店舗識別コードを組み合わせてなる固有のカード識別情報とが、前記名刺状カードの各々に表示されるようにし、
前記名刺状カードのいずれかを受け取った前記子ユーザが、当該名刺状カードに表示された前記カード識別情報から抽出される前記サイト情報に対応するサイトに、前記子ユーザ端末でアクセスすると、前記サーバ装置が、前記ネットショップのサイトとの間でデータ通信を行って、当該カード識別情報から抽出される前記カード識別コード及び前記店舗識別コードを取得した後、当該カード識別コードを用いて前記データベースを検索して、前記親ユーザとして当該名刺状カードを配布した前記会員を特定すると共に、当該店舗識別コードを用いて当該ネットショップの認証を行い、
前記ネットショップの認証の完了後、当該ネットショップのサイトが、前記ネットショップのサイトにアクセスした前記子ユーザ端末に所定の購入用画面を表示させ、
前記ネットショップのサイトにアクセスした前記子ユーザ端末から、前記購入用画面を用いた商品ないしサービスの購入情報を受信すると、当該ネットショップのサイトが、会員としての仮登録の承認を求める旨のメッセージを当該子ユーザ端末に表示させ、
前記ネットショップのサイトにアクセスした前記子ユーザ端末から、前記仮登録を承認する旨の情報を受信すると、前記サーバ装置が、当該ネットショップのサイトから当該子ユーザの個人情報を受領して前記データベースに格納すると共に、前記カード識別コードを用いて当該データベースを検索して当該名刺状カードに付された前記特典情報に対応する特典を特定し、その特典を当該ネットショップのサイト上で当該子ユーザに付与することを特徴とする広告方法。
【請求項３】
前記会員が申し込んだ前記名刺状カードが、前記広告付き名刺状カード提供サービスを提供する側で、前記サーバ装置の前記データベースに保存されている当該会員の希望する個人情報と、当該会員の選択に係る前記広告情報と、当該会員の選択に係る前記広告情報に関連する前記特典情報と、前記カード識別情報を印刷することによって作成される請求項１または２に記載の広告方法。
【請求項４】
前記会員が前記名刺状カードの作成を申し込んだ時に、前記サーバ装置が前記データベースを検索して、同一デザインの広告を付した前記名刺状カードが同一の前記会員に対して既に発行されているか否かを判断し、既に発行されていると判断した場合は当該申込が拒否される請求項１〜３のいずれか１項に記載の広告方法。
【請求項５】
前記サーバ装置が、同一デザインの広告を付した前記名刺状カードが同一の前記会員に対して既に発行されていないと判断した場合は、次に、当該会員の選択に係る広告情報が付された前記名刺状カードの総数が所定の上限値を越えるか否かを判断し、当該上限値を越えると判断した場合は、前記申込が拒否される請求項４に記載の広告方法。
【請求項６】
前記会員が希望すると、当該会員が申し込んだ前記名刺状カードが、前記サーバ装置との間でデータ通信が可能な被写体画像印刷装置を用いた印刷によって作成され、当該会員は自己の希望する画像を含む前記名刺状カードを前記被写体画像印刷装置から入手することができる請求項１〜５のいずれか１項に記載の広告方法。
【請求項７】
前記会員が希望すると、前記会員の希望する画像を含む前記名刺状カードの発行が、前記サーバ装置との間でデータ通信が可能な被写体画像印刷装置を用いて予約され、さらに、前記名刺状カードに表示される個人情報と広告情報が当該会員の端末から前記サーバ装置に送信されることによって、前記名刺状カードの作成の申込が行われる請求項１〜５のいずれか１項に記載の広告方法。
【請求項８】
前記会員でない人が前記広告付き名刺状カード提供サービスへの会員登録を行った際に使用した端末と、前記サーバ装置との間でデータ通信が可能な被写体画像印刷装置との間でデータ通信を行うことにより、前記端末中に残存している前記会員登録時の認証情報を前記被写体画像印刷装置に取り込み、取り込んだその認証情報と前記会員登録時に前記サーバ装置に記録された前記認証情報とを比較して、前記会員でない人が前記広告付き名刺状カード提供サービスの会員であるか否かの認証を行う請求項１〜５のいずれか１項に記載の広告方法。
【請求項９】
広告の申込が、所定の広告申込用サイトに広告主の企業情報と広告情報をオンラインで送信することによって行われると共に、前記広告の申込を受けるか否かの判断結果も、オンラインで前記広告主に通知され、前記広告の申込を受けると判断した場合は、前記企業情報と広告情報が前記サーバ装置の前記データベースに記録される請求項１〜５のいずれか１項に記載の広告方法。
【請求項１０】
広告付き名刺状カード提供サービスの会員が親ユーザとなって広告付き名刺状カードを複数の人に配布し、前記親ユーザから前記名刺状カードを受け取った人が、それぞれ、子ユーザとして当該名刺状カードに付された広告に関連する店舗に出向くよう誘導する広告システムであって、
前記子ユーザの子ユーザ端末がネットワークを介してアクセス可能なサーバ装置と、
前記サーバ装置内に設けられたデータベースとを備え、
前記会員により前記名刺状カードの作成の申込があると、前記サーバ装置が、当該会員の選択に係る広告情報と、当該会員の選択に係る前記広告情報に関連する所定の特典情報と、前記名刺状カードの各々に付された固有のカード識別コードとを、当該会員の識別コードに関連づけて前記データベースに保存すると共に、当該会員の希望する個人情報と、当該会員の選択に係る前記広告情報と、当該会員の選択に係る前記広告情報に関連する前記特典情報と、前記カード識別コードに所定のサイト情報を組み合わせてなる固有のカード識別情報とが、前記名刺状カードの各々に表示されるようにし、
前記名刺状カードのいずれかを受け取った前記子ユーザが、当該名刺状カードに表示された前記カード識別情報から抽出される前記サイト情報に対応するサイトに、前記子ユーザ端末でアクセスすると、前記サーバ装置が、当該カード識別情報から抽出される前記カード識別コードを用いて前記データベースを検索して、前記親ユーザとして当該名刺状カードを配布した前記会員を特定し、
前記サイト情報に対応する前記サイトにアクセスした前記子ユーザ端末に対して、前記サーバ装置が、店舗識別コードと当該子ユーザの連絡先情報とを当該子ユーザ端末を用いて送信するよう促し、
前記サイト情報に対応する前記サイトにアクセスした前記子ユーザ端末から店舗識別コードと当該子ユーザの連絡先情報とが送信されると、前記サーバ装置が、当該店舗識別コードを用いて店舗の認証を行うと共に、前記広告付き名刺状カード提供サービスの会員としての仮登録の承認を求める旨のメッセージを当該子ユーザ端末に表示させ、
前記サイト情報に対応する前記サイトにアクセスした前記子ユーザ端末から仮登録を承認する旨の情報を受信すると、前記サーバ装置が、前記データベースを検索して当該名刺状カードに付された前記特典情報に対応する電子クーポンを特定し、その電子クーポンを当該子ユーザ端末に表示させることを特徴とする広告システム。
【請求項１１】
広告付き名刺状カード提供サービスの会員が親ユーザとなって広告付き名刺状カードを複数の人に配布し、前記親ユーザから前記名刺状カードを受け取った人が、それぞれ、子ユーザとして当該名刺状カードに付された広告に関連するネットショップにアクセスするよう誘導する広告システムであって、
前記ネットショップのサイトとの間でデータ通信が可能なサーバ装置と、
前記サーバ装置内に設けられたデータベースとを備え、
前記会員により前記名刺状カードの作成の申込があると、前記サーバ装置が、当該会員の選択に係る広告情報と、当該会員の選択に係る前記広告情報に関連する所定の特典情報と、前記名刺状カードの各々に付された固有のカード識別コードとを、当該会員の識別コードに関連づけて前記データベースに保存すると共に、当該会員の希望する個人情報と、当該会員の選択に係る前記広告情報と、当該会員の選択に係る前記広告情報に関連する前記特典情報と、前記カード識別コードに前記ネットショップのサイト情報及び前記ネットショップの店舗識別コードを組み合わせてなる固有のカード識別情報とが、前記名刺状カードの各々に表示されるようにし、
前記名刺状カードのいずれかを受け取った前記子ユーザが、当該名刺状カードに表示された前記カード識別情報から抽出される前記サイト情報に対応するサイトに、前記子ユーザ端末でアクセスすると、前記サーバ装置が、前記ネットショップのサイトとの間でデータ通信を行って、当該カード識別情報から抽出される前記カード識別コード及び前記店舗識別コードを取得した後、当該カード識別コードを用いて前記データベースを検索して、前記親ユーザとして当該名刺状カードを配布した前記会員を特定すると共に、当該店舗識別コードを用いて当該ネットショップの認証を行い、
前記ネットショップの認証の完了後、当該ネットショップのサイトが、前記ネットショップのサイトにアクセスした前記子ユーザ端末に所定の購入用画面を表示させ、
前記ネットショップのサイトにアクセスした前記子ユーザ端末から、前記購入用画面を用いた商品ないしサービスの購入情報を受信すると、当該ネットショップのサイトが、会員としての仮登録の承認を求める旨のメッセージを当該子ユーザ端末に表示させ、
前記ネットショップのサイトにアクセスした前記子ユーザ端末から、前記仮登録を承認する旨の情報を受信すると、前記サーバ装置が、当該ネットショップのサイトから当該子ユーザの個人情報を受領して前記データベースに格納すると共に、前記カード識別コードを用いて当該データベースを検索して当該名刺状カードに付された前記特典情報に対応する特典を特定し、その特典を当該ネットショップのサイト上で当該子ユーザに付与することを特徴とする広告システム。
【請求項１２】
前記会員が申し込んだ前記名刺状カードが、前記広告付き名刺状カード提供サービスを提供する側で、前記サーバ装置の前記データベースに保存されている当該会員の希望する個人情報と、当該会員の選択に係る前記広告情報と、当該会員の選択に係る前記広告情報に関連する前記特典情報と、前記カード識別情報を印刷することによって作成される請求項１０または１１に記載の広告システム。
【請求項１３】
前記会員が前記名刺状カードの作成を申し込んだ時に、前記サーバ装置が前記データベースを検索して、同一デザインの広告を付した前記名刺状カードが同一の前記会員に対して既に発行されているか否かを判断し、既に発行されていると判断した場合は当該申込が拒否される請求項１０〜１２のいずれか１項に記載の広告システム。
【請求項１４】
前記サーバ装置が、同一デザインの広告を付した前記名刺状カードが同一の前記会員に対して既に発行されていないと判断した場合は、次に、当該会員の選択に係る広告情報が付された前記名刺状カードの総数が所定の上限値を越えるか否かを判断し、当該上限値を越えると判断した場合は、前記申込が拒否される請求項１３に記載の広告システム。
【請求項１５】
前記会員が希望すると、当該会員が申し込んだ前記名刺状カードが、前記サーバ装置との間でデータ通信が可能な被写体画像印刷装置を用いた印刷によって作成され、当該会員は自己の希望する画像を含む前記名刺状カードを前記被写体画像印刷装置から入手することができる請求項１０〜１４のいずれか１項に記載の広告システム。
【請求項１６】
前記会員が希望すると、前記会員の希望する画像を含む前記名刺状カードの発行が、前記サーバ装置との間でデータ通信が可能な被写体画像印刷装置を用いて予約され、さらに、前記名刺状カードに表示される個人情報と広告情報が当該会員の端末から前記サーバ装置に送信されることによって、前記名刺状カードの作成の申込が行われる請求項１０〜１４のいずれか１項に記載の広告システム。
【請求項１７】
前記会員でない人が前記広告付き名刺状カード提供サービスへの会員登録を行った際に使用した端末と、前記サーバ装置との間でデータ通信が可能な被写体画像印刷装置との間でデータ通信を行うことにより、前記端末中に残存している前記会員登録時の認証情報を前記被写体画像印刷装置に取り込み、取り込んだその認証情報と前記会員登録時に前記サーバ装置に記録された前記認証情報とを比較して、前記会員でない人が前記広告付き名刺状カード提供サービスの会員であるか否かの認証を行う請求項１０〜１４のいずれか１項に記載の広告システム。
【請求項１８】
広告の申込が、所定の広告申込用サイトに広告主の企業情報と広告情報をオンラインで送信することによって行われると共に、前記広告の申込を受けるか否かの判断結果も、オンラインで前記広告主に通知され、前記広告の申込を受けると判断した場合は、前記企業情報と広告情報が前記サーバ装置の前記データベースに記録される請求項１０〜１４のいずれか１項に記載の広告システム。
【手続補正２】
【補正対象書類名】明細書
【補正対象項目名】００２２
【補正方法】変更
【補正の内容】
【００２２】
（１）  本発明の第１の観点では、広告付き名刺状カードを用いる広告方法が提供される。この広告方法は、
広告付き名刺状カード提供サービスの会員が親ユーザとなって広告付き名刺状カードを複数の人に配布し、前記親ユーザから前記名刺状カードを受け取った人が、それぞれ、子ユーザとして当該名刺状カードに付された広告に関連する店舗に出向くよう誘導する、前記子ユーザの子ユーザ端末がネットワークを介してアクセス可能なサーバ装置を用いた広告方法であって、
前記会員により前記名刺状カードの作成の申込があると、前記サーバ装置が、当該会員の選択に係る広告情報と、当該会員の選択に係る前記広告情報に関連する所定の特典情報と、前記名刺状カードの各々に付された固有のカード識別コードとを、当該会員の識別コードに関連づけて前記サーバ装置内のデータベースに保存すると共に、当該会員の希望する個人情報と、当該会員の選択に係る前記広告情報と、当該会員の選択に係る前記広告情報に関連する前記特典情報と、前記カード識別コードに所定のサイト情報を組み合わせてなる固有のカード識別情報とが、前記名刺状カードの各々に表示されるようにし、
前記名刺状カードのいずれかを受け取った前記子ユーザが、当該名刺状カードに表示された前記カード識別情報から抽出される前記サイト情報に対応するサイトに、前記子ユーザ端末でアクセスすると、前記サーバ装置が、当該カード識別情報から抽出される前記カード識別コードを用いて前記データベースを検索して、前記親ユーザとして当該名刺状カードを配布した前記会員を特定し、
前記サイト情報に対応する前記サイトにアクセスした前記子ユーザ端末に対して、前記サーバ装置が、店舗識別コードと当該子ユーザの連絡先情報とを当該子ユーザ端末を用いて送信するよう促し、
前記サイト情報に対応する前記サイトにアクセスした前記子ユーザ端末から店舗識別コードと当該子ユーザの連絡先情報とが送信されると、前記サーバ装置が、当該店舗識別コードを用いて店舗の認証を行うと共に、前記広告付き名刺状カード提供サービスの会員としての仮登録の承認を求める旨のメッセージを当該子ユーザ端末に表示させ、
前記サイト情報に対応する前記サイトにアクセスした前記子ユーザ端末から仮登録を承認する旨の情報を受信すると、前記サーバ装置が、前記データベースを検索して当該名刺状カードに付された前記特典情報に対応する電子クーポンを特定し、その電子クーポンを当該子ユーザ端末に表示させることを特徴とするものである。
【手続補正３】
【補正対象書類名】明細書
【補正対象項目名】００３２
【補正方法】変更
【補正の内容】
【００３２】
（２）  本発明の第２の観点では、広告付き名刺状カードを用いる他の広告方法が提供される。この広告方法は、上述した本発明の第１の観点による広告方法において、子ユーザが訪問する先をいわゆる「ネットショップ」ないし「ショッピングサイト」としたものに相当する。この広告方法は、
広告付き名刺状カード提供サービスの会員が親ユーザとなって広告付き名刺状カードを複数の人に配布し、前記親ユーザから前記名刺状カードを受け取った人が、それぞれ、子ユーザとして当該名刺状カードに付された広告に関連するネットショップのサイトにアクセスするよう誘導する、前記ネットショップのサイトとの間でデータ通信が可能なサーバ装置を用いた広告方法であって、
前記会員により前記名刺状カードの作成の申込があると、前記サーバ装置が、当該会員の選択に係る広告情報と、当該会員の選択に係る前記広告情報に関連する所定の特典情報と、前記名刺状カードの各々に付された固有のカード識別コードとを、当該会員の識別コードに関連づけて前記サーバ装置内のデータベースに保存すると共に、当該会員の希望する個人情報と、当該会員の選択に係る前記広告情報と、当該会員の選択に係る前記広告情報に関連する前記特典情報と、前記カード識別コードに前記ネットショップのサイト情報及び前記ネットショップの店舗識別コードを組み合わせてなる固有のカード識別情報とが、前記名刺状カードの各々に表示されるようにし、
前記名刺状カードのいずれかを受け取った前記子ユーザが、当該名刺状カードに表示された前記カード識別情報から抽出される前記サイト情報に対応するサイトに、前記子ユーザ端末でアクセスすると、前記サーバ装置が、前記ネットショップのサイトとの間でデータ通信を行って、当該カード識別情報から抽出される前記カード識別コード及び前記店舗識別コードを取得した後、当該カード識別コードを用いて前記データベースを検索して、前記親ユーザとして当該名刺状カードを配布した前記会員を特定すると共に、当該店舗識別コードを用いて当該ネットショップの認証を行い、
前記ネットショップの認証の完了後、当該ネットショップのサイトが、前記ネットショップのサイトにアクセスした前記子ユーザ端末に所定の購入用画面を表示させ、
前記ネットショップのサイトにアクセスした前記子ユーザ端末から、前記購入用画面を用いた商品ないしサービスの購入情報を受信すると、当該ネットショップのサイトが、会員としての仮登録の承認を求める旨のメッセージを当該子ユーザ端末に表示させ、
前記ネットショップのサイトにアクセスした前記子ユーザ端末から、前記仮登録を承認する旨の情報を受信すると、前記サーバ装置が、当該ネットショップのサイトから当該子ユーザの個人情報を受領して前記データベースに格納すると共に、前記カード識別コードを用いて当該データベースを検索して当該名刺状カードに付された前記特典情報に対応する特典を特定し、その特典を当該ネットショップのサイト上で当該子ユーザに付与することを特徴とするものである。
【手続補正４】
【補正対象書類名】明細書
【補正対象項目名】００３４
【補正方法】変更
【補正の内容】
【００３４】
また、前記名刺状カードの各々には、前記会員の希望する個人情報と共に、当該会員が選択したデザインの広告と当該広告に関連する所定の特典情報と固有のカード識別情報とを表示すると共に、前記カード識別情報には当該カードに固有のカード識別コード、前記ネットショップのサイト情報及び前記ネットショップの店舗識別コードを包含させているので、前記名刺状カードに付された前記サイト情報に基づいて前記子ユーザの端末を前記ネットショップのサイトに自動的にアクセスさせることができる。すると、前記ネットショップのサイトの間でデータ通信を行って得た、前記カード識別情報から抽出される前記カード識別コードを用いて前記サーバ装置の前記データベースを検索することにより、当該名刺状カードを配布した前記会員を特定することができる。
【手続補正５】
【補正対象書類名】明細書
【補正対象項目名】００３６
【補正方法】変更
【補正の内容】
【００３６】
さらに、前記サーバ装置が、前記子ユーザの端末から前記ネットショップでの購買を行うとの情報を受信すると、会員としての仮登録の承認を求める旨のメッセージが当該子ユーザの端末に表示される。そのメッセージに応答して、仮登録を承認する旨の情報を受信すると、前記データベースを検索して、当該名刺状カードに付された前記特典情報に対応する特典を特定し、その特典を当該ネットショップのサイト上で当該子ユーザに付与する。
【手続補正６】
【補正対象書類名】明細書
【補正対象項目名】００４０
【補正方法】変更
【補正の内容】
【００４０】
（３）  本発明の第１及び第２の観点による広告方法の好ましい例では、前記会員が申し込んだ前記名刺状カードが、前記広告付き名刺状カード提供サービスを提供する側で、前記サーバ装置の前記データベースに保存されている当該会員の希望する個人情報と、当該会員の選択に係る前記広告情報と、当該会員の選択に係る前記広告情報に関連する前記特典情報と、前記カード識別情報を印刷することによって作成される。
【手続補正７】
【補正対象書類名】明細書
【補正対象項目名】００４１
【補正方法】変更
【補正の内容】
【００４１】
本発明の第１及び第２の観点による広告方法の他の好ましい例では、前記会員が前記名刺状カードの作成を申し込んだ時に、前記サーバ装置が前記データベースを検索して、同一デザインの広告を付した前記名刺状カードが同一の前記会員に対して既に発行されているか否かを判断し、既に発行されていると判断した場合は当該申込が拒否される。この例では、同一デザインの前記名刺状カードは必ず異なる会員によって配布されるようになるため、広告効果が効率的になる、という利点がある。
【手続補正８】
【補正対象書類名】明細書
【補正対象項目名】００４２
【補正方法】変更
【補正の内容】
【００４２】
この例では、前記サーバ装置が、同一デザインの広告を付した前記名刺状カードが同一の前記会員に対して既に発行されていないと判断した場合は、次に、当該会員の選択に係る広告情報が付された前記名刺状カードの総数が所定の上限値を越えるか否かを判断し、当該上限値を越えると判断した場合は、前記申込が拒否される。この例では、同日に過大な数が発行されることがないため、所望の期間（例えばキャンペーン期間）の全般にわたって広告効果を持続させることができる、という利点がある。
【手続補正９】
【補正対象書類名】明細書
【補正対象項目名】００４３
【補正方法】変更
【補正の内容】
【００４３】
本発明の第１及び第２の観点による広告方法のさらに他の好ましい例では、前記会員が希望すると、当該会員が申し込んだ前記名刺状カードが、前記サーバ装置との間でデータ通信が可能な被写体画像印刷装置を用いた印刷によって作成され、当該会員は自己の希望する画像を含む前記名刺状カードを前記被写体画像印刷装置から入手することができる。この例では、前記名刺状カードが広告会社から配送されてくるのを待つ必要がなく、前記名刺状カードを迅速に入手できる、また、自己の希望する画像（いわゆるプリクラ画像）を含む名刺状カードが得られる、という利点がある。
【手続補正１０】
【補正対象書類名】明細書
【補正対象項目名】００４４
【補正方法】変更
【補正の内容】
【００４４】
本発明の第１及び第２の観点による広告方法のさらに他の好ましい例では、前記会員が希望すると、前記会員の希望する画像を含む前記名刺状カードの発行が、前記サーバ装置との間でデータ通信が可能な被写体画像印刷装置を用いて予約され、さらに、前記名刺状カードに表示される個人情報と広告情報が当該会員の端末から前記サーバ装置に送信されることによって、前記名刺状カードの作成の申込が行われる。この例では、自己の希望する画像（いわゆるプリクラ画像）を含む名刺状カードの予約が、前記画像を撮影した被写体画像印刷装置を用いてその場で行える、という利点がある。
【手続補正１１】
【補正対象書類名】明細書
【補正対象項目名】００４５
【補正方法】変更
【補正の内容】
【００４５】
本発明の第１及び第２の観点による広告方法のさらに他の好ましい例では、前記会員でない人が前記広告付き名刺状カード提供サービスへの会員登録を行った際に使用した端末と、前記サーバ装置との間でデータ通信が可能な被写体画像印刷装置との間でデータ通信を行うことにより、前記端末中に残存している前記会員登録時の認証情報を前記被写体画像印刷装置に取り込み、取り込んだその認証情報と前記会員登録時に前記サーバ装置に記録された前記認証情報とを比較して、前記会員でない人が前記広告付き名刺状カード提供サービスの会員であるか否かの認証を行う。この例では、当該会員の認証が簡易かつ自動的に行われる、という利点がある。
【手続補正１２】
【補正対象書類名】明細書
【補正対象項目名】００４６
【補正方法】変更
【補正の内容】
【００４６】
本発明の第１及び第２の観点による広告方法のさらに他の好ましい例では、広告の申込が、所定の広告申込用サイトに広告主の企業情報と広告情報をオンラインで送信することによって行われると共に、前記広告の申込を受けるか否かの判断結果も、オンラインで前記広告主に通知され、前記広告の申込を受けると判断した場合は、前記企業情報と広告情報が前記サーバ装置の前記データベースに記録される。この例では、広告主自身がオンラインで広告の申込を行える、という利点がある。
【手続補正１３】
【補正対象書類名】明細書
【補正対象項目名】００４７
【補正方法】変更
【補正の内容】
【００４７】
（４）  本発明の第３の観点では、上述した第１の観点の広告方法を実現する広告システムが提供される。この広告システムは、
広告付き名刺状カード提供サービスの会員が親ユーザとなって広告付き名刺状カードを複数の人に配布し、前記親ユーザから前記名刺状カードを受け取った人が、それぞれ、子ユーザとして当該名刺状カードに付された広告に関連する店舗に出向くよう誘導する広告システムであって、
前記子ユーザの子ユーザ端末がネットワークを介してアクセス可能なサーバ装置と、
前記サーバ装置内に設けられたデータベースとを備え、
前記会員により前記名刺状カードの作成の申込があると、前記サーバ装置が、当該会員の選択に係る広告情報と、当該会員の選択に係る前記広告情報に関連する所定の特典情報と、前記名刺状カードの各々に付された固有のカード識別コードとを、当該会員の識別コードに関連づけて前記データベースに保存すると共に、当該会員の希望する個人情報と、当該会員の選択に係る前記広告情報と、当該会員の選択に係る前記広告情報に関連する前記特典情報と、前記カード識別コードに所定のサイト情報を組み合わせてなる固有のカード識別情報とが、前記名刺状カードの各々に表示されるようにし、
前記名刺状カードのいずれかを受け取った前記子ユーザが、当該名刺状カードに表示された前記カード識別情報から抽出される前記サイト情報に対応するサイトに、前記子ユーザ端末でアクセスすると、前記サーバ装置が、当該カード識別情報から抽出される前記カード識別コードを用いて前記データベースを検索して、前記親ユーザとして当該名刺状カードを配布した前記会員を特定し、
前記サイト情報に対応する前記サイトにアクセスした前記子ユーザ端末に対して、前記サーバ装置が、店舗識別コードと当該子ユーザの連絡先情報とを当該子ユーザ端末を用いて送信するよう促し、
前記サイト情報に対応する前記サイトにアクセスした前記子ユーザ端末から店舗識別コードと当該子ユーザの連絡先情報とが送信されると、前記サーバ装置が、当該店舗識別コードを用いて店舗の認証を行うと共に、前記広告付き名刺状カード提供サービスの会員としての仮登録の承認を求める旨のメッセージを当該子ユーザ端末に表示させ、
前記サイト情報に対応する前記サイトにアクセスした前記子ユーザ端末から仮登録を承認する旨の情報を受信すると、前記サーバ装置が、前記データベースを検索して当該名刺状カードに付された前記特典情報に対応する電子クーポンを特定し、その電子クーポンを当該子ユーザ端末に表示させることを特徴とするものである。
【手続補正１４】
【補正対象書類名】明細書
【補正対象項目名】００４９
【補正方法】変更
【補正の内容】
【００４９】
（５）  本発明の第４の観点では、上述した第２の観点の広告方法を実現する広告システムが提供される。この広告システムは、
広告付き名刺状カード提供サービスの会員が親ユーザとなって広告付き名刺状カードを複数の人に配布し、前記親ユーザから前記名刺状カードを受け取った人が、それぞれ、子ユーザとして当該名刺状カードに付された広告に関連するネットショップにアクセスするよう誘導する広告システムであって、
前記ネットショップのサイトとの間でデータ通信が可能なサーバ装置と、
前記サーバ装置内に設けられたデータベースとを備え、
前記会員により前記名刺状カードの作成の申込があると、前記サーバ装置が、当該会員の選択に係る広告情報と、当該会員の選択に係る前記広告情報に関連する所定の特典情報と、前記名刺状カードの各々に付された固有のカード識別コードとを、当該会員の識別コードに関連づけて前記データベースに保存すると共に、当該会員の希望する個人情報と、当該会員の選択に係る前記広告情報と、当該会員の選択に係る前記広告情報に関連する前記特典情報と、前記カード識別コードに前記ネットショップのサイト情報及び前記ネットショップの店舗識別コードを組み合わせてなる固有のカード識別情報とが、前記名刺状カードの各々に表示されるようにし、
前記名刺状カードのいずれかを受け取った前記子ユーザが、当該名刺状カードに表示された前記カード識別情報から抽出される前記サイト情報に対応するサイトに、前記子ユーザ端末でアクセスすると、前記サーバ装置が、前記ネットショップのサイトとの間でデータ通信を行って、当該カード識別情報から抽出される前記カード識別コード及び前記店舗識別コードを取得した後、当該カード識別コードを用いて前記データベースを検索して、前記親ユーザとして当該名刺状カードを配布した前記会員を特定すると共に、当該店舗識別コードを用いて当該ネットショップの認証を行い、
前記ネットショップの認証の完了後、当該ネットショップのサイトが、前記ネットショップのサイトにアクセスした前記子ユーザ端末に所定の購入用画面を表示させ、
前記ネットショップのサイトにアクセスした前記子ユーザ端末から、前記購入用画面を用いた商品ないしサービスの購入情報を受信すると、当該ネットショップのサイトが、会員としての仮登録の承認を求める旨のメッセージを当該子ユーザ端末に表示させ、
前記ネットショップのサイトにアクセスした前記子ユーザ端末から、前記仮登録を承認する旨の情報を受信すると、前記サーバ装置が、当該ネットショップのサイトから当該子ユーザの個人情報を受領して前記データベースに格納すると共に、前記カード識別コードを用いて当該データベースを検索して当該名刺状カードに付された前記特典情報に対応する特典を特定し、その特典を当該ネットショップのサイト上で当該子ユーザに付与することを特徴とするものである。
【手続補正１５】
【補正対象書類名】明細書
【補正対象項目名】００５１
【補正方法】変更
【補正の内容】
【００５１】
（６）  本発明の第３及び第４の観点による広告システムの好ましい例では、前記会員が申し込んだ前記名刺状カードが、前記広告付き名刺状カード提供サービスを提供する側で、前記サーバ装置の前記データベースに保存されている当該会員の希望する個人情報と、当該会員の選択に係る前記広告情報と、当該会員の選択に係る前記広告情報に関連する前記特典情報と、前記カード識別情報を印刷することによって作成される。
【手続補正１６】
【補正対象書類名】明細書
【補正対象項目名】００５２
【補正方法】変更
【補正の内容】
【００５２】
本発明の第３及び第４の観点による広告システムの他の好ましい例では、前記会員が前記名刺状カードの作成を申し込んだ時に、前記サーバ装置が前記データベースを検索して、同一デザインの広告を付した前記名刺状カードが同一の前記会員に対して既に発行されているか否かを判断し、既に発行されていると判断した場合は当該申込が拒否される。この例では、同一デザインの前記名刺状カードは必ず異なる会員によって配布されるようになるため、広告効果が効率的になる、という利点がある。
【手続補正１７】
【補正対象書類名】明細書
【補正対象項目名】００５３
【補正方法】変更
【補正の内容】
【００５３】
この例では、前記サーバ装置が、同一デザインの広告を付した前記名刺状カードが同一の前記会員に対して既に発行されていないと判断した場合は、次に、当該会員の選択に係る広告情報が付された前記名刺状カードの総数が所定の上限値を越えるか否かを判断し、当該上限値を越えると判断した場合は、前記申込が拒否される。この例では、同日に過大な数が発行されることがないため、所望の期間（例えばキャンペーン期間）の全般にわたって広告効果を持続させることができる、という利点がある。
【手続補正１８】
【補正対象書類名】明細書
【補正対象項目名】００５４
【補正方法】変更
【補正の内容】
【００５４】
本発明の第３及び第４の観点による広告システムのさらに他の好ましい例では、前記会員が希望すると、当該会員が申し込んだ前記名刺状カードが、前記サーバ装置との間でデータ通信が可能な被写体画像印刷装置を用いた印刷によって作成され、当該会員は自己の希望する画像を含む前記名刺状カードを前記被写体画像印刷装置から入手することができる。この例では、前記名刺状カードが広告会社から配送されてくるのを待つ必要がなく、前記名刺状カードを迅速に入手できる、また、自己の希望する画像（いわゆるプリクラ画像）を含む名刺状カードが得られる、という利点がある。
【手続補正１９】
【補正対象書類名】明細書
【補正対象項目名】００５５
【補正方法】変更
【補正の内容】
【００５５】
本発明の第３及び第４の観点による広告システムのさらに他の好ましい例では、前記会員が希望すると、前記会員の希望する画像を含む前記名刺状カードの発行が、前記サーバ装置との間でデータ通信が可能な被写体画像印刷装置を用いて予約され、さらに、前記名刺状カードに表示される個人情報と広告情報が当該会員の端末から前記サーバ装置に送信されることによって、前記名刺状カードの作成の申込が行われる。この例では、自己の希望する画像（いわゆるプリクラ画像）を含む名刺状カードの予約が、前記画像を撮影した被写体画像印刷装置を用いてその場で行える、という利点がある。
【手続補正２０】
【補正対象書類名】明細書
【補正対象項目名】００５６
【補正方法】変更
【補正の内容】
【００５６】
本発明の第３及び第４の観点による広告システムのさらに他の好ましい例では、前記会員でない人が前記広告付き名刺状カード提供サービスへの会員登録を行った際に使用した端末と、前記サーバ装置との間でデータ通信が可能な被写体画像印刷装置との間でデータ通信を行うことにより、前記端末中に残存している前記会員登録時の認証情報を前記被写体画像印刷装置に取り込み、取り込んだその認証情報と前記会員登録時に前記サーバ装置に記録された前記認証情報とを比較して、前記会員でない人が前記広告付き名刺状カード提供サービスの会員であるか否かの認証を行う。この例では、当該会員の認証が簡易かつ自動的に行われる、という利点がある。

【手続補正２１】
【補正対象書類名】明細書
【補正対象項目名】００５７
【補正方法】変更
【補正の内容】
【００５７】
本発明の第３及び第４の観点による広告システムのさらに他の好ましい例では、広告の申込が、所定の広告申込用サイトに広告主の企業情報と広告情報をオンラインで送信することによって行われると共に、前記広告の申込を受けるか否かの判断結果も、オンラインで前記広告主に通知され、前記広告の申込を受けると判断した場合は、前記企業情報と広告情報が前記サーバ装置の前記データベースに記録される。この例では、広告主自身がオンラインで広告の申込を行える、という利点がある。
【手続補正２２】
【補正対象書類名】明細書
【補正対象項目名】００６５
【補正方法】変更
【補正の内容】
【００６５】
広告付き名刺状カード提供サービスで提供される名刺状カードの一例を図３に示す。図３の名刺状カード５００は、表面の個人情報領域５０１に所有者（親ユーザ）の個人情報（ここではニックネーム、電話番号、メールアドレス及びメッセージ）が表示されている（図３（ｂ）を参照）。個人情報領域５０１の個人情報は、ビジネスで使用されている一般的な名刺の場合とほぼ同様の態様で記載されている。個人情報領域５０１の下には、特典情報領域５０２が設けられており、そこには当該広告に対応する特典情報が記載されている。特典情報領域５０２の右隣り、すなわちカード５００の表面の右下角には、ＱＲコード５０３が記載されている。このＱＲコード５０３は、当該カード５００の識別コード（識別情報）としての「シリアル番号」と、仮登録を勧誘するサイトの「ＵＲＬ（Uniform Resource Locator）情報」とを含んでいるが、必要に応じてこれら以外の他の情報（例えば、店舗の識別コードないしシリアル番号）を含めることも可能である。また、ＱＲコード５０３を形成する箇所は、カード５００の表面の右下角には限定されず、表面のその他の任意の箇所に形成してもよいことは言うまでもない。必要なら、ＱＲコード５０３をカード５００の裏面に配置してもよい。
【手続補正２３】
【補正対象書類名】明細書
【補正対象項目名】０１９２
【補正方法】変更
【補正の内容】
【０１９２】
（第３実施形態に係る広告システムの動作）
次に、第３実施形態に係る広告システムの動作について、図１７〜図２０を参照しながら順に説明する。これらの動作は、親ユーザ端末上で動作する適当なアプリケーション・プログラムを用いれば容易に実現することができるから、それに関する説明は省略する。
【手続補正２４】
【補正対象書類名】明細書
【補正対象項目名】０１９３
【補正方法】変更
【補正の内容】
【０１９３】
図１７及び図１８は、親ユーザ端末の外部の「画像アルバム・サービス」を提供するサイトに保存されているいわゆるプリクラ画像（「アルバム」になっていて、親ユーザにより自由に閲覧・消去等が可能である）と、広告主のロゴとを組み合わせて、広告デザインを生成し、その広告デザインを用いて名刺状カード５００を作成し、被写体画像印刷装置３００で印刷する際のプロセスを示す画面の遷移図である。なお、「プリクラ画像」に代えて、他の画像（例えば、親ユーザ端末等のデジタルカメラで撮影した画像）を使用してもよいことは言うまでもない。
【手続補正２５】
【補正対象書類名】明細書
【補正対象項目名】０１９４
【補正方法】変更
【補正の内容】
【０１９４】
まず、図１７に示すように、親ユーザ端末で「画像アルバム・サービス」を提供する前記サイトにアクセスして、ログイン画面７０１を開き、自己の識別コード（ＩＤ）とパスワード（ＰＷ）を入力して、自己のアルバムトップ画面７０２を開く。その後、アルバムトップ画面７０２に表示された「○○カードを作る」というメニューを適当なポインタでクリックし、カード用画像選択画面７０３を開く。次に、カード用画像選択画面７０３に一覧されたプリクラ画像群の中から、名刺状カード５００に使用したいプリクラ画像を選択し、「次へ」ボタンをポインタでクリックする。すると、カード用画像選択終了告知画面７０４が開くので、選択された画像を確認してから、「閉じる」ボタンをクリックする。これで、画像の選択は終了である。
【手続補正２６】
【補正対象書類名】明細書
【補正対象項目名】０１９６
【補正方法】変更
【補正の内容】
【０１９６】
まず、モニター３１４のスクリーンを操作して、表示されている印刷メニュー（図示せず）からログイン画面７１１を開き、自己の識別コード（ＩＤ）とパスワード（ＰＷ）を入力して、「次へ」ボタンに指を触れる。すると、被写体画像印刷装置３００は、「画像アルバム・サービス」を提供する前記サイトとの間で所定のデータ通信を行い、その親ユーザによる印刷予約が行われているかを調べて結果を表示する。ここでは、図１７に示した操作で印刷が予約されているので、印刷予約告知画面７１２が表示される。
【手続補正２７】
【補正対象書類名】明細書
【補正対象項目名】０２０５
【補正方法】変更
【補正の内容】
【０２０５】
ログイン画面７２３では、入力手段３０４を用いて親ユーザ自身のＩＤとパスワードを入力してから、「次へ」ボタンに指を触れる。すると、カード作成予約完了告知画面７２４が表示される。この画面７２４では、カード５００の作成の予約が完了したこと、カード５００に記載されるべき個人情報は、親ユーザ端末１０１から入力する必要があること、そして、電子メールが親ユーザのメールアドレスに送信されたこと、が表示される。